(57)【要約】通信システムにおけるリソースポートの指示のための方法および装置が、開示される。一実施形態において、第１の無線通信ノードによって実施される方法は、少なくとも１つの測定リソースを通信システムにおける第２の無線通信ノードから受信することと、少なくとも１つの測定リソースと第１の複数のリソースセットとの間の少なくとも１つの重複しているリソースを決定することと、第１の複数のリソースセットにおける少なくとも１つのミューティングリソースセットを決定することであって、少なくとも１つのミューティングリソースセットは、少なくとも１つの重複しているリソースを含む、こととを含む。
2022501843.tif 000002
【特許請求の範囲】
【請求項１】
第１の無線通信ノードによって実施される方法であって、前記方法は、
少なくとも１つの測定リソースの構成を示す構成メッセージを第２の無線通信ノードから受信することと、
前記少なくとも１つの測定リソースと第１の複数のリソースとの間の少なくとも１つの重複しているリソースを決定することと、
前記第１の複数のリソースセットの中の少なくとも１つのミューティングリソースを決定することと
を含み、
前記少なくとも１つのミューティングリソースセットは、前記少なくとも１つの重複しているソースを含む、方法。
【請求項２】
前記構成メッセージは、システム情報ブロック（ＳＩＢ）およびＵＥ規定無線リソース制御（ＲＲＣ）シグナリングのうちの少なくとも一方を使用して、前記第２の無線通信ノードから前記第１の無線通信ノードに伝送される、請求項１に記載の方法。
【請求項３】
前記第１の複数のリソースセットは、同期信号ブロック（ＳＳＢ）の潜在的伝送の期間およびＳＳＢの実際の伝送の期間のうちの１つに少なくとも１つの第１のリソースを含む、請求項１に記載の方法。
【請求項４】
前記少なくとも１つの測定リソースは、測定周期、測定オフセット、測定持続時間、および周波数範囲のうちの少なくとも１つによって構成されている、請求項１に記載の方法。
【請求項５】
前記少なくとも１つの重複しているリソースは、
少なくとも１つのＯＦＤＭシンボルであって、前記少なくとも１つのＯＦＤＭシンボルは、前記少なくとも１つのＯＦＤＭシンボルは、時間ドメインにおいて前記第１の複数のリソースセットおよび前記少なくとも１つの測定リソースによって占有されている、少なくとも１つのＯＦＤＭシンボル、
前記第１の複数のリソースセットのうちの前記少なくとも１つの第１のリソースであって、前記少なくとも１つの第１のリソースと前記少なくとも１つの測定リソースとの間の前記時間ドメインにおける第１のインターバルは、所定の閾値と等しいか、またはそれより小さい、前記第１の複数のリソースセットのうちの少なくとも１つの第１のリソース、および、
前記第１の複数のリソースセットのうちの前記少なくとも１つの第１のリソースであって、前記少なくとも１つの第１のリソースと前記少なくとも１つの測定リソースとの間の周波数ドメインにおける第２のインターバルは、所定の閾値と等しいか、またはそれより小さい、前記第１の複数のリソースセットのうちの少なくとも１つの第１のリソース
のうちの少なくとも１つを占有している、請求項１に記載の方法。
【請求項６】
ミューティング周期における前記少なくとも１つのミューティングリソースセットは、
ＳＳＢの潜在的伝送の期間のために構成されている第１のリソースセットであって、前記第１のリソースセットは、前記時間ドメインにおける第１の複数のＯＦＤＭ（直交周波数分割多重化）シンボルおよび前記周波数ドメインにおける第１の周波数範囲を占有している、第１のリソースセット、
ＳＳＢの実際の伝送の期間のために構成されている第２のリソースセットであって、前記第２のリソースセットは、前記時間ドメインにおける第２の複数のＯＦＤＭシンボルおよび前記周波数ドメインにおける前記第１の周波数範囲を占有している、第２のリソースセット、
第３のリソースセットであって、前記第３のリソースセットは、前記時間ドメインにおける前記第１の複数のＯＦＤＭシンボルおよび前記周波数ドメインにおける第２の周波数範囲を占有している、第３のリソースセット、
第４のリソースセットであって、前記第４のリソースセットは、前記時間ドメインにおける前記第２の複数のＯＦＤＭシンボルおよび前記周波数ドメインにおける前記第２の周波数範囲を占有している、第４のリソースセット、
第５のリソースセットであって、前記第５のリソースセットは、前記時間ドメインにおける少なくとも１つの第１のタイムスロットにおける第３の複数のＯＦＤＭシンボルおよび前記周波数ドメインにおける前記第１の周波数範囲を占有し、前記少なくとも１つの第１のタイムスロットは、前記第１のリソースセットのうちの少なくとも１つのリソースを含む、第５のリソースセット、
第６のリソースセットであって、前記第６のリソースセットは、前記時間ドメインにおける少なくとも１つの第２のタイムスロットにおける第４の複数のＯＦＤＭシンボルおよび前記周波数ドメインにおける前記第２の周波数範囲を占有し、前記少なくとも１つの第２のタイムスロットは、前記第２のリソースセットのうちの少なくとも１つのリソースを含む、第６のリソースセット、
第７のリソースセットであって、前記第７のリソースセットは、前記時間ドメインにおける少なくとも１つの第３のタイムスロットにおける前記第３の複数のＯＦＤＭシンボルおよび前記周波数ドメインにおける前記第２の周波数範囲を占有している、第７のリソースセット、
第８のリソースセットであって、前記第８のリソースセットは、前記時間ドメインにおける少なくとも１つの第４のタイムスロットにおける前記第４の複数のＯＦＤＭシンボルおよび前記周波数ドメインにおける前記第１の周波数範囲を占有している、第８のリソースセット、
第９のリソースセットであって、前記第９のリソースセットは、前記時間ドメインにおける少なくとも１つの半無線フレームにおける第５の複数のＯＦＤＭシンボルおよび前記周波数ドメインにおける前記第１の周波数範囲を占有し、前記少なくとも１つの半無線フレームは、前記時間ドメインにおける前記第１のリソースセットのうちの少なくとも１つのリソースを含む、第９のリソースセット、および、
第１０のリソースセットであって、前記第１０のリソースセットは、前記時間ドメインにおける前記少なくとも１つの半無線フレームにおける前記第５の複数のＯＦＤＭシンボルおよび前記周波数ドメインにおける前記第２の周波数範囲を占有している、第１０のリソースセット
のうちの１つを含み、
前記第１の周波数範囲は、前記第２の周波数範囲に等しいか、またはそれより小さく、前記第２の複数のＯＦＤＭシンボルは、前記第１の複数のＯＦＤＭシンボルの一部であり、前記第２の周波数範囲は、キャリアの帯域幅および帯域幅部分（ＢＷＰ）のうちの１つである、請求項１に記載の方法。
【請求項７】
前記第１の複数のリソースセットにおける前記少なくとも１つの第１のリソースの各々は、前記時間ドメインにおけるタイムスロットにおける４つのＯＦＤＭシンボルを含む、請求項３に記載の方法。
【請求項８】
第１のミューティング周期における前記少なくとも１つのミューティングリソースセットにおける第１のＳＳＢの第１の実際の伝送を終了することと、
前記第１のミューティング周期における前記少なくとも１つのミューティングリソースセットにおいて、第３の無線通信ノードからの第１のＳＳＢ伝送周期を伴う第２のＳＳＢを測定することと、
測定のために、前記第３の無線通信ノードへの第２のＳＳＢ伝送周期を伴う前記第１のＳＳＢの前記第１の実際の伝送を実施することと
をさらに含み、
前記第１のミューティング周期は、前記第１のＳＳＢ伝送周期に等しいか、またはそれより大きい、請求項１に記載の方法。
【請求項９】
第１の無線通信ノードによって実施される方法であって、前記方法は、少なくとも１つの測定リソースの構成を示す構成メッセージを第２の無線通信ノードに伝送することを含み、前記第２の無線通信ノードは、前記少なくとも１つの測定リソースと第１の複数のリソースとの間の少なくとも１つの重複しているリソースを決定し、前記少なくとも１つの重複しているリソースに従って少なくとも１つのミューティングリソースセットをさらに決定し、前記少なくとも１つのミューティングリソースセットは、前記少なくとも１つの重複しているリソースを含む、方法。
【請求項１０】
前記構成メッセージは、システム情報ブロック（ＳＩＢ）およびＵＥ規定無線リソース制御（ＲＲＣ）シグナリングのうちの少なくとも１つを使用して、前記第２の無線通信ノードから前記第１の無線通信ノードに伝送される、請求項９に記載の方法。
【請求項１１】
前記第１の複数のリソースセットは、同期信号ブロック（ＳＳＢ）の潜在的伝送の期間およびＳＳＢの実際の伝送の期間のうちの１つに少なくとも１つの第１のリソースを含む、請求項９に記載の方法。
【請求項１２】
前記少なくとも１つの測定リソースは、測定周期、測定オフセット、測定持続時間、および周波数範囲のうちの少なくとも１つによって構成されている、請求項９に記載の方法。
【請求項１３】
前記少なくとも１つの重複しているリソースは、
少なくとも１つのＯＦＤＭシンボルであって、前記少なくとも１つのＯＦＤＭシンボルは、前記時間ドメインにおいて前記第１の複数のリソースセットおよび前記少なくとも１つの測定リソースによって占有されている、少なくとも１つのＯＦＤＭシンボル、
前記第１の複数のリソースセットのうちの少なくとも１つの第１のリソースであって、前記少なくとも１つの第１のリソースと前記少なくとも１つの測定リソースとの間の前記時間ドメインにおける第１のインターバルは、所定の閾値と等しいか、またはそれより小さい、前記第１の複数のリソースセットのうちの少なくとも１つの第１のリソース、および、
前記第１の複数のリソースセットのうちの前記少なくとも１つの第１のリソースであって、前記少なくとも１つの第１のリソースと前記少なくとも１つの測定リソースとの間の前記周波数ドメインにおける第２のインターバルは、所定の閾値と等しいか、またはそれより小さい、前記第１の複数のリソースセットのうちの少なくとも１つの第１のリソース
のうちの少なくとも１つを占有している、請求項９に記載の方法。
【請求項１４】
ミューティング周期における前記少なくとも１つのミューティングリソースセットは、
ＳＳＢの潜在的伝送の期間のために構成されている第１のリソースセットであって、前記第１のリソースセットは、前記時間ドメインにおける第１の複数のＯＦＤＭ（直交周波数分割多重化）シンボルおよび前記周波数ドメインにおける第１の周波数範囲を占有している、第１のリソースセット、
ＳＳＢの実際の伝送の期間のために構成されている第２のリソースセットであって、前記第２のリソースセットは、前記時間ドメインにおける第２の複数のＯＦＤＭシンボルおよび前記周波数ドメインにおける前記第１の周波数範囲を占有している、第２のリソースセット、
第３のリソースセットであって、前記第３のリソースセットは、前記時間ドメインにおける前記第１の複数のＯＦＤＭシンボルおよび前記周波数ドメインにおける第２の周波数範囲を占有している、第３のリソースセット、
第４のリソースセットであって、前記第４のリソースセットは、前記時間ドメインにおける前記第２の複数のＯＦＤＭシンボルおよび前記周波数ドメインにおける前記第２の周波数範囲を占有している、第４のリソースセット、
第５のリソースセットであって、前記第５のリソースセットは、前記時間ドメインにおける少なくとも１つの第１のタイムスロットにおける第３の複数のＯＦＤＭシンボルおよび前記周波数ドメインにおける前記第１の周波数範囲を占有し、前記少なくとも１つの第１のタイムスロットは、前記第１のリソースセットのうちの少なくとも１つのリソースを含む、第５のリソースセット、
第６のリソースセットであって、前記第６のリソースセットは、前記時間ドメインにおける少なくとも１つの第２のタイムスロットにおける第４の複数のＯＦＤＭシンボルおよび前記周波数ドメインにおける前記第２の周波数範囲を占有し、前記少なくとも１つの第２のタイムスロットは、前記第２のリソースセットのうちの少なくとも１つのリソースを含む、第６のリソースセット、
第７のリソースセットであって、前記第７のリソースセットは、前記時間ドメインにおける少なくとも１つの第３のタイムスロットにおける前記第３の複数のＯＦＤＭシンボルおよび前記周波数ドメインにおける前記第２の周波数範囲を占有している、第７のリソースセット、
第８のリソースセットであって、前記第８のリソースセットは、前記時間ドメインにおける少なくとも１つの第４のタイムスロットにおける前記第４の複数のＯＦＤＭシンボルおよび前記周波数ドメインにおける前記第１の周波数範囲を占有している、第８のリソースセット、
第９のリソースセットであって、前記第９のリソースセットは、前記時間ドメインにおける少なくとも１つの半無線フレームにおける第５の複数のＯＦＤＭシンボルおよび前記周波数ドメインにおける前記第１の周波数範囲を占有し、前記少なくとも１つの半無線フレームは、前記時間ドメインにおける前記第１のリソースセットのうちの少なくとも１つのリソースを含む、第９のリソースセット、および
第１０のリソースセットであって、前記第１０のリソースセットは、前記時間ドメインにおける前記少なくとも１つの半無線フレームにおける前記第５の複数のＯＦＤＭシンボルおよび前記周波数ドメインにおける前記第２の周波数範囲を占有している、第１０のリソースセット
のうちの１つを含み、
前記第１の周波数範囲は、前記第２の周波数範囲に等しいか、またはそれより小さく、前記第２の複数のＯＦＤＭシンボルは、前記第１の複数のＯＦＤＭシンボルの一部であり、前記第２の周波数範囲は、キャリアの帯域幅および帯域幅部分（ＢＷＰ）のうちの１つである、請求項９に記載の方法。
【請求項１５】
前記少なくとも１つのミューティングリソースセットの各々は、複数のミューティングリソースを含み、前記複数のミューティングリソースの各々は、前記時間ドメインにおけるタイムスロットにおける４つのＯＦＤＭシンボルを含む、請求項９に記載の方法。
【請求項１６】
前記第２の無線通信ノードにおいて、第１のミューティング周期における前記少なくとも１つのミューティングリソースセットにおける第１のＳＳＢの第１の実際の伝送を終了することと、
前記第１のミューティング周期における前記少なくとも１つのミューティングリソースセットにおける前記第２の無線通信ノードからの第１のＳＳＢ伝送周期を伴う少なくとも第２のＳＳＢを測定することと、
検出のために、第３の無線通信ノードへの第２のＳＳＢ伝送周期を伴う第１のＳＳＢの前記第１の実際の伝送を実施することと
をさらに含み、
前記第１のミューティング周期は、前記第１のＳＳＢ伝送周期に等しいか、またはそれより大きい、請求項９に記載の方法。
【請求項１７】
コンピューティングデバイスであって、前記コンピューティングデバイスは、少なくとも１つのプロセッサと、前記プロセッサに結合されたメモリとを備え、前記少なくとも１つのプロセッサは、請求項１−１６のいずれか１項に記載の方法を行うように構成されている、コンピューティングデバイス。
【請求項１８】
非一過性コンピュータ読み取り可能な媒体であって、前記媒体は、請求項１−１６のいずれか１項に記載の方法を行うためのコンピュータ実行可能命令を記憶している、非一過性コンピュータ読み取り可能な媒体。
【発明の詳細な説明】
【技術分野】
【０００１】
本開示は、概して、無線通信に関し、より具体的に、無線通信システムにおけるミューティングリソース配分のための方法および装置に関する。
【背景技術】
【０００２】
過去数十年にわたって、モバイル通信は、音声サービスから高速ブロードバンドデータサービスに進化している。新しいタイプのサービスおよびアプリケーション、例えば、高速大容量（ｅＭＢＢ）、大量マシンタイプ通信（ｍＭＴＣ）、高信頼低遅延（ＵＲＬＬＣ）等のさらなる発展に伴って、モバイルネットワーク上での高性能データ伝送のための需要が、指数関数的に増加し続けるであろう。これらの新興サービスにおける具体的要件に基づいて、無線通信システムは、スループット、待ち時間、データレート、容量、信頼性、リンク密度、コスト、エネルギー消費、複雑性、およびカバレッジ等の種々の要件を満たすべきである。
【発明の概要】
【課題を解決するための手段】
【０００３】
本明細書に開示される例示的実施形態は、従来技術に提示される１つ以上の問題に関連する課題を解決し、かつ付随の図面と併せて精査されるときに以下の詳細な説明を参照することによって容易に明白となるであろう追加の特徴を提供することを対象とする。いくつかの実施形態によると、例示的システム、方法、デバイス、およびコンピュータプログラム製品が、本明細書に開示される。しかしながら、これらの実施形態が、限定ではなく、一例として提示されることが理解され、開示される実施形態に対する種々の修正が、本発明の範囲内に留まったまま成され得ることが、本開示を熟読する当業者に明白であろう。
【０００４】
４Ｇ通信システムの異種ネットワークにおいて、マクロセルが、複数のスモールセルに分割され、スモールセルの各々における中継ノード（ＲＮ）が、マクロセルのＢＳおよびそのＵＥ端末と通信するためのそれぞれのスモールセルのＢＳとしての機能を果たす。ＲＮは、その上位ＲＮおよび下位ＲＮとも通信し、マルチホップネットワークを形成することができる。そのようなマルチホップ異種ネットワークは、従来のネットワーク構造と比較して、改良された利得およびシステム容量等の利点を提供することができる。５Ｇ通信システムにおいて、無線アクセスバックホール統合伝送（ＩＡＢ）技術が、マルチホップ異種ネットワークをサポートするために使用されることができ、ネットワーク側通信ノード（ＢＳ）は、ＩＡＢドナーであり、それは、直接、スモールセル内のＲＮと通信することができ、それは、以降、本開示では「ＩＡＢノード」として示される。各ＩＡＢノードは、直接、そのＵＥ端末および／またはその直下レベルおよび直上レベルのＩＡＢノードと通信することができる。具体的に、ＩＡＢノードは、アップリンクデータを下位レベルのＩＡＢノードまたはＵＥ端末から受信し、その上位レベルのＩＡＢノードまたはＩＡＢドナーに伝送することができる。同様に、ＩＡＢノードは、ダウンリンクデータをその上位レベルのＩＡＢノードまたはＩＡＢドナーから受信し、その下位レベルのＩＡＢノードまたはＵＥ端末に伝送することもできる。したがって、ＩＡＢノードは、直接、コアネットワークにアクセスすることができず、ＩＡＢドナーを経由する必要がある。ＩＡＢノードとその上位レベルのＩＡＢノードとの間の通信チャネルは、随時、接続解除され得る。この瞬間、ＩＡＢノードのＵＥからＩＡＢドナーへのデータ伝送は、大幅に影響され得る。この問題を解決するために、ＩＡＢノードは、隣接するＩＡＢノードと通信し、バックアップ上位レベルのＩＡＢノードを識別することができ、それは、オリジナルリンクが接続解除されるとき、新しい通信チャネルを確立するために使用され得る。この方法は、データ伝送中の中断時間を大幅に低減させることができる。したがって、隣接するＩＡＢノードが、ＩＡＢノードがバックアップ上位レベルのＩＡＢノードとして使用するために、ＩＡＢノードに把握されていない場合、データ伝送の中断が、潜在的に生じ得る。本開示は、ミューティングリソースを配分し、隣接するＩＡＢノードから伝送されるＳＳＢを検出する方法および装置を提示する。本明細書で使用されるように、「ミューティングリソース」は、ＩＡＢノードが、その元々スケジュールされた基準信号（例えば、同期信号（ＳＳ）および物理ブロードキャストチャネル（ＰＢＣＨ）ブロック、チャネル状態情報−基準信号（ＣＳＩ−ＲＳ））伝送を終了し、隣接するＩＡＢノードから伝送される基準信号（例えば、ＳＳおよびＰＢＣＨブロック、ＣＳＩ−ＲＳ）を受信する時間および周波数ドメインにおけるリソースを指す。以下の説明において、ＳＳＢを基準信号の例として取り上げる。
【０００５】
一実施形態において、第１の無線通信ノードによって実施される方法は、少なくとも１つの測定リソースを通信システムにおける第２の無線通信ノードから受信することと、少なくとも１つの測定リソースと第１の複数のリソースセットとの間の少なくとも１つの重複しているリソースを決定することと、第１の複数のリソースセットにおける少なくとも１つのミューティングリソースセットを決定することであって、少なくとも１つのミューティングリソースセットは、少なくとも１つの重複しているリソースを含む、こととを含む。
【０００６】
さらに別の実施形態において、第１の無線通信ノードによって実施される方法は、少なくとも１つの測定リソースを通信システムにおける第２の無線通信ノードに伝送ことを含み、第２の無線通信ノードは、少なくとも１つの測定リソースと第１の複数のリソースセットとの間の少なくとも１つの重複しているリソースを決定し、少なくとも１つのミューティングリソースセットに従って少なくとも１つの重複しているリソースをさらに決定し、少なくとも１つのミューティングリソースセットは、少なくとも１つの重複しているリソースを含む。
【０００７】
本開示の側面は、付随の図と併せて熟読されるとき、以下の詳細な説明から最も深く理解される。種々の特徴が、必ずしも、正確な縮尺で描かれていないことに留意されたい。実際、種々の特徴の寸法および幾何学の形状は、議論を明確にするために、恣意的に拡大または縮小され得る。
【図面の簡単な説明】
【０００８】
【図１Ａ】図１Ａは、本開示のいくつかの実施形態による、ＢＳからの距離の関数として達成可能な変調を図示する例示的無線通信ネットワークを図示する。
【０００９】
【図１Ｂ】図１Ｂは、本開示のいくつかの実施形態による、スロット構造情報指示のための例示的無線通信システムのブロック図を図示する。
【００１０】
【図２】図２は、本開示のいくつかの実施形態による、複数の同期信号ブロック（ＳＳＢ）を伴う無線フレーム構造の概略を図示する。
【００１１】
【図３】図３は、本開示のいくつかの実施形態による、ＳＳＢ構造の概略を図示する。
【００１２】
【図４】図４は、本開示のいくつかの実施形態による、ＳＳＢ構造の概略を図示する。
【００１３】
【図５】図５は、本開示のいくつかの実施形態による、リソースブロック内のＳＳＢマッピングパターンの概略を図示する。
【００１４】
【図６】図６は、本開示のいくつかの実施形態による、リソースブロック内のＳＳＢマッピングパターンの概略を図示する。
【００１５】
【図７】図７は、本開示のいくつかの実施形態による、リソースブロック内のＳＳＢマッピングパターンの概略を図示する。
【００１６】
【図８】図８は、本開示のいくつかの実施形態による、リソースブロック内のＳＳＢマッピングパターンの概略を図示する。
【００１７】
【図９】図９は、本開示のいくつかの実施形態による、リソースブロック内のＳＳＢマッピングパターンの概略を図示する。
【００１８】
【図１０Ａ】図１０Ａは、本開示のいくつかの実施形態による、５ｍｓの半無線フレーム内でのＳＳＢ伝送のために１５ｋＨｚのサブキャリア間隔において２つのタイムスロットを伴う半無線フレーム構造の概略を図示する。
【００１９】
【図１０Ｂ】図１０Ｂは、本開示のいくつかの実施形態による、５ｍｓの半無線フレーム内でのＳＳＢ伝送のために１５ｋＨｚのサブキャリア間隔において４つのタイムスロットを伴う半無線フレーム構造の概略を図示する。
【００２０】
【図１０Ｃ】図１０Ｃは、本開示のいくつかの実施形態による、５ｍｓの半無線フレーム内でのＳＳＢ伝送のために３０ｋＨｚのサブキャリア間隔において２つのタイムスロットを伴う半無線フレーム構造の概略を図示する。
【００２１】
【図１０Ｄ】図１０Ｄは、本開示のいくつかの実施形態による、５ｍｓの半無線フレーム内でのＳＳＢ伝送のために３０ｋＨｚのサブキャリア間隔において４つのタイムスロットを伴う半無線フレーム構造の概略を図示する。
【００２２】
【図１０Ｅ】図１０Ｅは、本開示のいくつかの実施形態による、５ｍｓの半無線フレーム内でのＳＳＢ伝送のために１２０ｋＨｚのサブキャリア間隔において３２のタイムスロットを伴う半無線フレーム構造の概略を図示する。
【００２３】
【図１０Ｆ】図１０Ｆは、本開示のいくつかの実施形態による、５ｍｓの半無線フレーム内でのＳＳＢ伝送のために１２０ｋＨｚのサブキャリア間隔において１６のタイムスロットを伴う半無線フレーム構造の概略を図示する。
【００２４】
【図１１】図１１は、本開示のいくつかの実施形態による、半無線フレーム構造の概略を図示する。
【００２５】
【図１２】図１２は、本開示のいくつかの実施形態による、半無線フレーム構造の概略を図示する。
【００２６】
【図１３】図１３は、本開示のいくつかの実施形態による、半無線フレーム構造の概略を図示する。
【００２７】
【図１４】図１４は、本開示のいくつかの実施形態による、通信システムにおけるＩＡＢノードのためのミューティング期間構成を実施する方法を図示する。
【００２８】
【図１５】図１５は、本開示のいくつかの実施形態による、１６０ｍｓのミューティング周期を伴う３つのＩＡＢノードのための無線フレーム構造を図示する。
【００２９】
【図１６−１】図１６Ａ−１６Ｄは、本開示のいくつかの実施形態による、例示的ミューティングパターンを伴う例示的ミューティングパターンテーブルを図示する。
【図１６−２】図１６Ａ−１６Ｄは、本開示のいくつかの実施形態による、例示的ミューティングパターンを伴う例示的ミューティングパターンテーブルを図示する。
【発明を実施するための形態】
【００３０】
本発明の種々の例示的実施形態は、当業者が本発明を作製および使用することを可能にするために、付随の図を参照して下で説明される。当業者に明白であろうように、本開示を熟読後、本明細書に説明される例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序で提示し、本発明が、明示的に別様に述べられない限り、提示される具体的順序または階層に限定されないことを理解するであろう。
【００３１】
本発明の実施形態は、付随の図面を参照して詳細に説明される。同じまたは類似コンポーネントは、同じまたは類似参照番号によって指定され得るが、それらは、異なる図面にも図示される。当技術分野において周知の構造またはプロセスの詳細な説明は、本発明の主題を曖昧にすることを回避するために省略され得る。さらに、用語は、本発明の実施形態におけるその機能性を考慮して定義され、ユーザまたはオペレータの意図、用途等に従って変動し得る。したがって、定義は、本明細書の全体的内容に基づいて行われるべきである。
【００３２】
図１Ａは、本開示のいくつかの実施形態による、例示的無線通信異種ネットワーク１００を図示する。無線通信システムにおいて、ネットワーク側通信ノードは、ＮｏｄｅＢ、Ｅ−ｕｔｒａｎ  Ｎｏｄｅ  Ｂ（進化型ＮｏｄｅＢ、ｅＮｏｄｅＢ、またはｅＮＢとしても知られている）、新規無線（ＮＲ）技術におけるｇＮｏｄｅＢ、ピコステーション、フェムトステーション等であることができ、それは、以降、本開示の全ての実施形態において、「ＩＡＢドナー１０２−０」と称される。サブセル側通信ノードも、ＮｏｄｅＢ、Ｅ−ｕｔｒａｎ  Ｎｏｄｅ  Ｂ（進化型ＮｏｄｅＢ、ｅＮｏｄｅＢ、またはｅＮＢとしても知られている）、新規無線（ＮＲ）技術におけるｇＮｏｄｅＢ、ピコステーション、フェムトステーション等であることができ、それは、以降、本開示の全ての実施形態において、「ＩＡＢノード１０２−１、１０２−２、・・・」と称される。端末側通信ノードは、携帯電話、スマートフォン、携帯情報端末（ＰＤＡ）、タブレット、ラップトップコンピュータのような長距離通信システム、または、例えば、ウェアラブルデバイス、車載通信システムを伴う車両等の短距離通信システムであることができ、それは、以降、本開示の全ての実施形態において、「ＵＥ１０４」と称される。
【００３３】
そのような通信ノードは、本発明のいくつかの実施形態によると、無線および／または有線通信が可能であり得る。全ての実施形態が、単に、好ましい例であり、本開示を限定することを意図するものではないことに留意されたい。故に、システムが、本開示の範囲内に留まったまま、ＵＥ１０４、ＩＡＢノード１０２−１／１０２−２、およびＩＡＢドナー１０２−０の任意の所望の組み合わせを含み得ることを理解されたい。
【００３４】
図１Ａを参照すると、無線通信異種ネットワーク１００は、ＩＡＢドナー１０２−０Ａと、２つの第１のレベルのＩＡＢノード１０２−１Ａ／１０２−１Ｂと、第２のレベルのＩＡＢノード１０２−２Ａと、２つのＵＥ１０４ａ／１０４ｂ（集合的に、本明細書において、ＵＥ１０４と称される）とを含む。ＢＳ１０２およびＵＥ１０４は、セル１０１の地理的境界内に含まれる。図１Ａに示されるが、第１の第１のレベルのＩＡＢノード１０２−１Ａは、第２のレベルのＩＡＢノード１０２−２Ａと直接通信し、第２の第１のレベルのＩＡＢノード１０２−１Ｂは、ＵＥ１０４ｂと直接通信する。第１のレベルのＩＡＢノード１０２−１Ａ／１０２−１Ｂの両方は、ＩＡＢドナー１０２−０Ａと直接通信し、任意の他のネットワーク構成が、本発明の範囲内であることに留意されたい。例えば、ＩＡＢドナー１０２−０Ａ、第１の第１のレベルのＩＡＢノード１０２−１Ａ、第２の第１のレベルのＩＡＢノード１０２−１Ｂ、第２のレベルのＩＡＢノード１０２−２Ａは、対応するスモールセル内のＵＥとの直接通信をサポートすることができる。
【００３５】
ＩＡＢノード１０２−１Ａの伝送側アンテナからＩＡＢノード１０２−０Ａの受信側アンテナへの無線伝送は、バックホールリンク伝送１０５ａとして知られ、ＩＡＢノード１０２−０Ａの伝送側アンテナからＩＡＢノード１０２−１Ａの受信側アンテナへの無線伝送は、アクセスリンク伝送１０３Ａとして知られる。同様に、ＩＡＢノード１０２−１Ｂの伝送側アンテナからＩＡＢノード１０２−０Ａの受信側アンテナへの無線伝送は、バックホールリンク伝送１０５ｂとして知られ、ＩＡＢノード１０２−０Ａの伝送側アンテナからＩＡＢノード１０２−１Ｂの受信側アンテナへの無線伝送は、アクセスリンク伝送１０３ｂとして知られる。ＩＡＢノード１０２−２Ａの伝送側アンテナからＩＡＢノード１０２−１Ａの受信側アンテナへの無線伝送は、バックホールリンク伝送１０５Ｃとして知られ、ＩＡＢノード１０２−１Ａの伝送側アンテナからＩＡＢノード１０２−１Ｂの受信側アンテナへの無線伝送は、アクセスリンク伝送１０３Ａとして知られる。ＵＥ１０４Ａの伝送側アンテナからＩＡＢノード１０２−２Ａの受信側アンテナへの無線伝送は、アップリンク伝送１０５Ｄとして知られ、ＩＡＢノード１０２−２Ａの伝送側アンテナからＵＥ１０４Ａの受信側アンテナへの無線伝送は、ダウンリンク伝送１０３Ｄとして知られる。ＵＥ１０４Ｂの伝送側アンテナからＩＡＢノード１０２−１Ｂの受信側アンテナへの無線伝送は、アップリンク伝送１０５Ｅとして知られ、ＩＡＢノード１０２−１Ｂの伝送側アンテナからＵＥ１０４Ｂの受信側アンテナへの無線伝送は、ダウンリンク伝送１０３Ｅとして知られる。図示される実施形態において、ＵＥ１０４ＡおよびＵＥ１０４Ｂのアンテナ間の無線伝送は、サイドリンク伝送１０６として知られる。
【００３６】
ＵＥ１０４Ｂは、ダウンリンク通信１０３Ｅのための第１の周波数リソースｆ１（例えば、キャリアまたは帯域幅部分）およびアップリンク通信１０５Ｅのための第２の周波数リソースｆ２で動作する、第１のレベルのＩＡＢノード１０２−１Ｂとの直接通信チャネルを有する。同様に、ＵＥ１０４Ａも、ダウンリンク通信１０３Ｄのための第３の周波数リソースｆ３およびアップリンク通信１０５Ｄのための第４の周波数リソースｆ４で動作する、第２のレベルのＩＡＢノード１０２−２Ａとの直接通信チャネルを有する。いくつかの実施形態において、第２の周波数リソースｆ２および第４の周波数リソースｆ４は、第１の周波数リソースｆ１および第３の周波数リソースｆ３と異なる。いくつかの実施形態において、第２の周波数リソースｆ２および第４の周波数リソースｆ４は、互いに異なる。したがって、第２の周波数リソースｆ２および第４の周波数リソースｆ４は、例えば、経路損失、カバレッジ、最大伝送電力等の異なる伝送特性を有する。いくつかの実施形態において、第１の周波数リソースｆ１、第２の周波数リソースｆ２、第３の周波数リソースｆ３、および第４の周波数リソースｆ４の帯域幅も、異なり得る。２つのＵＥ１０４Ａ／１０４Ｂのみが、図１Ａに示されるが、任意の数のＵＥ１０４が、セル１０１内に含まれ得、本発明の範囲内であることに留意されたい。
【００３７】
いくつかの実施形態において、アップリンク通信１０５Ｅのカバレッジは、アップリンク通信１０５Ｄのそれより大きい（それぞれ、点線円形１１２および１１０によって示される）。ＩＡＢノード１０２−１Ｂおよび１０２−２Ａは、ＩＡＢノードがセル１０１内のＵＥ１０４ａおよびＵＥ１０４ｂとアップリンク通信を実施するために、カバレッジエリア１１０および１１２の領域内に位置する。
【００３８】
ＵＥ１０４Ｂ／１０４Ａと対応するＩＡＢノード１０２−１Ｂ／１０２−２Ａとの間の直接通信チャネル１０５Ｄ／１０５Ｅ（アップリンク伝送）および１０３Ｄ／１０３Ｅ（ダウンリンク伝送）は、ＵＭＴＳ（ユニバーサルモバイル電気通信システム（ＵＭＴＳ））エアインターフェースとしても知られるＵｕインターフェース等のインターフェースを通して行われることができる。ＩＡＢノード（すなわち、１０２−２Ａおよび１０２−１Ａ）間およびＩＡＢノード１０２−１Ａ／１０２−１ＢとＩＡＢドナー１０２−０Ａとの間の直接通信チャネル１０５Ａ／１０５Ｂ／１０５Ｃ（バックホールリンク伝送）および１０３Ａ／１０３Ｂ／１０３Ｃ（アクセスリンク伝送）は、Ｕｎインターフェース等のインターフェースを通して行われることができる。ＵＥ間の直接通信チャネル（すなわち、サイドリンク伝送）１０６は、車車間（Ｖ２Ｖ）通信等の高移動速度および高密度用途に対処するために導入されるＰＣ５インターフェースを通して行われることができる。ＢＳ１０２は、外部インターフェース１０７、例えば、Ｉｕインターフェースを通して、コアネットワーク（ＣＮ）１０８に接続される。
【００３９】
ＵＥ１０４ａおよび１０４ｂは、その同期タイミングを対応するＩＡＢノード１０２−２Ａおよび１０２−１Ｂから取得し、それは、ＩＡＢドナー１０２−０Ａをさらに通して、かつ、インターネット時間サービス（パブリック時間ＮＴＰ（ネットワーク時間プロトコル）サーバまたはＲＮＣ（無線周波数シミュレーションシステムネットワークコントローラ）サーバ等）をさらに通して、コアネットワーク１０８から、それ自身の同期タイミングを取得する。これは、ネットワークベースの同期として知られる。代替として、ＩＡＢドナー１０２−０Ａは、特に、空への直接通視線を有するラージセル内の大ＩＡＢドナーに関して、衛星信号１０６を通して同期タイミングをグローバルナビゲーション衛星システム（ＧＮＳＳ）（図示せず）から取得することもでき、それは、衛星ベースの同期として知られる。
【００４０】
図１Ｂは、本開示のいくつかの実施形態による、例示的無線通信システム１５０のブロック図を図示する。システム１５０は、本明細書に詳細に説明される必要がない既知または従来の動作特徴をサポートするように構成されるコンポーネントおよび要素を含み得る。１つの例示的実施形態において、システム１５０は、上で説明されるように、図１Ａの無線通信ネットワーク１００等の無線通信環境においてデータシンボルを伝送および受信するために使用されることができる。
【００４１】
システム１５０は、概して、１つのＩＡＢドナー１０２−０Ａと、１つの第１のレベルのＩＡＢノード１０２−１Ａと、１つの第２のレベルのＩＡＢノード１０２−２Ａとを含む。ＩＡＢドナー１０２−０Ａは、ＩＡＢドナー送受信機モジュール１５２と、ＩＡＢドナーアンテナアレイ１５４と、ＩＡＢドナーメモリモジュール１５６と、ＩＡＢドナープロセッサモジュール１５８と、ネットワークインターフェース１６０とを含み、各モジュールは、データ通信バス１５７を介して、必要に応じて、互いに結合および相互接続される。第１のレベルのＩＡＢノード１０２−１Ａは、ＩＡＢノード１送受信機モジュール１６２と、ＩＡＢノード１アンテナ１６４と、ＩＡＢノード１メモリモジュール１６６と、ＩＡＢノード１プロセッサモジュール１６８と、入力／出力（Ｉ／Ｏ）インターフェース１６９とを含み、各モジュールは、データ通信バス１６７を介して、必要に応じて、互いに結合および相互接続される。第２のレベルのＩＡＢノード１０２−２Ａは、ＩＡＢノード２送受信機モジュール１７２と、ＩＡＢノード２アンテナ１７４と、ＩＡＢノード１メモリモジュール１７６と、ＩＡＢノード１プロセッサモジュール１７８と、入力／出力（Ｉ／Ｏ）インターフェース１７９とを含み、各モジュールは、データ通信バス１７７を介して、必要に応じて、互いに結合および相互接続される。ＩＡＢドナー１０２−０Ａは、本明細書に説明されるように、データの伝送のために好適な任意の無線チャネルまたは当技術分野において公知の他の媒体であり得る通信チャネル１９２を介して、ＩＡＢノード１０２−１Ａと通信する。第１のレベルのＩＡＢノード１０２−１Ａは、本明細書に説明されるように、データの伝送のために好適な任意の無線チャネルまたは当技術分野において公知の他の媒体であり得る通信チャネル１９４を介して、第２のレベルのＩＡＢノード１０２−２Ａと通信する。
【００４２】
当業者によって理解されるであろうように、システム１５０は、図１Ｂに示されるそれら以外の任意の数のブロック、モジュール、回路等をさらに含み得る。当業者は、本明細書に開示される実施形態に関連して説明される種々の例証的ブロック、モジュール、回路、および処理論理が、ハードウェア、コンピュータ読み取り可能なソフトウェア、ファームウェア、またはそれらの任意の実践的な組み合わせの中に実装され得ることを理解するであろう。ハードウェア、ファームウェア、およびソフトウェアのこの可換性および適合性を明確に図示するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システムに課される設計制約に依存する。本明細書に説明される概念に精通する者は、そのような機能性を各特定の用途のために好適な様式で実装し得るが、そのような実装決定は、本発明の範囲を限定するものとして解釈されるべきではない。
【００４３】
ＩＡＢドナー１０２−０Ａの伝送側アンテナから第１のレベルのＩＡＢ１０２−１Ａの受信側アンテナへの無線伝送は、アクセスリンク伝送として知られ、第１のレベルのＩＡＢノード１０２−１Ａの伝送側アンテナからＩＡＢドナー１０２−０Ａの受信側アンテナへの無線伝送は、バックホールリンク伝送として知られる。いくつかの実施形態によると、ＩＡＢドナー送受信機１６２は、本明細書において「バックホールリンク」送受信機１６２と称され得、それは、各々がＩＡＢノード１アンテナ１６４に結合されるＲＦ伝送機および受信機回路を含む。デュプレックススイッチ（図示せず）が、代替として、アップリンク伝送機または受信機をアップリンクアンテナに時間デュプレックス方式で結合し得る。同様に、いくつかの実施形態によると、ＩＡＢドナー送受信機１５２は、本明細書において「ダウンリンク」送受信機１５２と称され得、それは、各々がＩＡＢドナーアンテナアレイ１５４に結合されるＲＦ伝送機および受信機回路を含む。ダウンリンクデュプレックススイッチが、代替として、ダウンリンク伝送機または受信機をダウンリンクアンテナアレイ１５４に時間デュプレックス方式で結合し得る。２つの送受信機１５２および１６２の動作は、アップリンク受信機が、ダウンリンク伝送機がダウンリンクアンテナアレイ１５４に結合されるのと同時に、無線通信チャネル１９２を経由した伝送の受信のために、アップリンクＩＡＢノード１アンテナ１６４に結合されるように、時間において調整される。好ましくは、デュプレックス方向の変更間に最小限のガード時間のみを伴う近同期タイミングが存在する。ＩＡＢノード１送受信機１６２は、ＩＡＢノード１アンテナ１６４を通して、無線通信チャネル１９２を介してＩＡＢドナー１０２−０Ａと通信するか、または、無線通信チャネル１９４を介して第２のレベルのＩＡＢノード１０２−２Ａと通信する。無線通信チャネル１９４は、本明細書に説明されるように、データの無線伝送のために好適な任意の無線チャネルまたは当技術分野において公知の他の媒体であることができる。
【００４４】
ＩＡＢノード１送受信機１６２およびＩＡＢドナー送受信機１５２は、無線データ通信チャネル１９２を介して通信し、特定の無線通信プロトコルおよび変調スキームをサポートし得る好適に構成されるＲＦアンテナ配列１５４／１６４と協働するように構成される。いくつかの実施形態において、ＩＡＢドナー送受信機１５２は、ミューティングリソース構成パラメータをＩＡＢノード１送受信機１６２に伝送するように構成される。いくつかの実施形態において、ＩＡＢノード１送受信機１６２は、ミューティングリソース構成パラメータをＩＡＢドナー送受信機１５２から受信し、および／または、近傍ＩＡＢノードを検出するためのＳＳＢを近傍ＩＡＢノードから受信するように構成される。いくつかの例示的実施形態において、ＩＡＢノード１送受信機１６２およびＩＡＢドナー送受信機１５２は、ロングタームエボリューション（ＬＴＥ）および新興５Ｇ規格等の産業規格をサポートするように構成される。しかしながら、本発明が、必ずしも、用途において、特定の規格および関連付けられたプロトコルに限定されないことを理解されたい。むしろ、ＩＡＢノード１送受信機１６２およびＩＡＢドナー送受信機１５２は、将来的規格またはその変形例を含む代替または追加の無線データ通信プロトコルをサポートするように構成され得る。
【００４５】
ＩＡＢドナープロセッサモジュール１５８およびＩＡＢノードプロセッサモジュール１６８／１７８は、本明細書に説明される機能を実施するように設計される汎用プロセッサ、連想メモリ、デジタル信号プロセッサ、特定用途向け集積回路、フィールドプログラマブルゲートアレイ、任意の好適なプログラマブル論理デバイス、別々のゲートまたはトランジスタ論理、別々のハードウェアコンポーネント、またはそれらの任意の組み合わせで実装または実現される。このように、プロセッサは、マイクロプロセッサ、コントローラ、マイクロコントローラ、状態機械等として実現され得る。プロセッサは、コンピューティングデバイスの組み合わせ、例えば、デジタル信号プロセッサとマイクロプロセッサとの組み合わせ、複数のマイクロプロセッサ、デジタル信号プロセッサコアと併せた１つ以上のマイクロプロセッサ、または任意の他のそのような構成としても実装され得る。
【００４６】
そして、ＩＡＢノード１プロセッサモジュール１６８は、ＰＨＲトリガメッセージをＩＡＢノード１送受信機モジュール１６２上で検出し、ＩＡＢノードプロセッサモジュール１６８は、少なくとも１つの所定の基準およびＩＡＢドナー１０２−０Ａから受信された少なくとも１つのミューティングリソース構成に基づいて、少なくとも１つのミューティングリソースを決定するようにさらに構成され、少なくとも１つの所定のアルゴリズムが、他の計算されたパラメータまたは受信されたメッセージに基づいて選択され、それは、下で詳細にさらに議論されるであろう。ＩＡＢノード１プロセッサモジュール１６８は、決定されたミューティング構成において、ＳＳＢを近傍ＩＡＢノードから受信すること、および、そのスケジュールされたＳＳＢを近傍ＩＡＢノードに伝送することを行うようにＩＡＢノード１送受信機モジュール１６２に命令するようにさらに構成される。
【００４７】
さらに、本明細書に開示される実施形態に関連して説明される方法のステップまたはアルゴリズムは、対応するプロセッサモジュール１５８／１６８／１７８によって実行されるハードウェアにおいて、ファームウェアにおいて、ソフトウェアモジュールにおいて、または、それらの任意の実践的な組み合わせにおいて直接具現化され得る。メモリモジュール１５６／１６６／１７６は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール１５６および１６６は、それぞれ、プロセッサモジュール１５８および１６８に結合され得、それによって、プロセッサモジュール１５８および１６８は、それぞれ、メモリモジュール１５６／１６６／１７６から情報を読み取り、それに情報を書き込み得る。メモリモジュール１５６／１６６／１７６も、それらのそれぞれのプロセッサモジュール１５８／１６８／１７８の中に統合され得る。いくつかの実施形態において、メモリモジュール１５６／１６６／１７６の各々は、それぞれ、プロセッサモジュール１５８／１６８／１７８によって、実行されるための命令の実行中、一時的変数または他の中間情報を記憶するためのキャッシュメモリを含み得る。メモリモジュール１５６／１６６／１７６の各々は、それぞれ、プロセッサモジュール１５８／１６８／１７８によって実行されるための命令を記憶するための不揮発性メモリも含み得る。
【００４８】
ネットワークインターフェース１６０は、概して、ハードウェア、ソフトウェア、ファームウェア、処理論理、および／または、ＩＡＢドナー１０２−０Ａの他のコンポーネントを表し、それらは、ＩＡＢドナー送受信機１５２と、ＩＡＢドナー１０２−０Ａと通信するように構成される他のネットワークコンポーネントおよび通信ノードとの間の双方向通信を可能にする。例えば、ネットワークインターフェース１６０は、インターネットまたはＷｉＭＡＸトラフィックをサポートするように構成され得る。典型的展開において、限定ではないが、ネットワークインターフェース１６０は、ＩＡＢドナー送受信機１５２が、従来のＥｔｈｅｒｎｅｔ（登録商標）ベースのコンピュータネットワークと通信し得るように、８０２．３Ｅｔｈｅｒｎｅｔ（登録商標）インターフェースを提供する。このように、ネットワークインターフェース１６０は、コンピュータネットワーク（例えば、移動交換局（ＭＳＣ））への接続のための物理的インターフェースを含み得る。用語「〜のために構成される」または「〜するように構成される」は、規定された動作または機能に関して本明細書で使用されるように、規定された動作または機能を実施するように物理的に構築、プログラム、フォーマット、および／または配列されるデバイス、コンポーネント、回路、構造、機械、信号等を指す。ネットワークインターフェース１６０は、ＩＡＢドナー１０２−０Ａが、有線または無線接続を経由して、他のＩＡＢドナー、ＩＡＢノード、またはコアネットワークと通信することを可能にし得る。
【００４９】
再び図１Ａを参照すると、上で述べられたように、ＩＡＢドナー１０２−０Ａは、ＵＥ１０４が、ＩＡＢドナー１０２−０Ａが位置するセル１０１内のＩＡＢノード／ドナーを通してネットワークにアクセスし、一般に、セル１０１内で適切に動作することを可能にするために、ＩＡＢドナー１０２−０Ａに関連付けられたシステム情報を１つ以上のＵＥ１０４および／または１つ以上の第１のレベルのＩＡＢノードに、繰り返し直接ブロードキャストする。例えば、ダウンリンクおよびアップリンクセル帯域幅、ダウンリンクおよびアップリンク構成、ランダムアクセスのための構成等の複数の情報が、システム情報内に含まれることができる（それは、下でさらに詳細に議論されるであろう）。典型的に、ＩＡＢドナー１０２−０Ａは、ある主要なシステム情報、例えば、セル１０１の構成を搬送する第１の信号をＰＢＣＨ（物理ブロードキャストチャネル）を通してブロードキャストする。例証の明確性の目的のために、そのようなブロードキャストされる第１の信号は、本明細書において、「第１のブロードキャスト信号」と称される。ＢＳ１０２が、続いて、本明細書において、「第２のブロードキャスト信号」、「第３のブロードキャスト信号」等と称されるある他のシステム情報を搬送する１つ以上の信号をそれぞれのチャネル（例えば、物理ダウンリンク共有チャネル（ＰＤＳＣＨ））を通してブロードキャストし得ることに留意されたい。
【００５０】
再び図１Ｂを参照すると、いくつかの実施形態において、第１のブロードキャスト信号によって搬送される主要なシステム情報は、通信チャネル１９２を介して、シンボルフォーマットにおいて、ＩＡＢドナー１０２−０Ａによって第１のレベルのＩＡＢノード１０２−１Ａに伝送され得る。いくつかの実施形態において、主要なシステム情報は、ミューティングリソース構成パラメータを含み得る。いくつかの実施形態において、ミューティングリソース構成パラメータは、第１のブロードキャスト信号によって、第１のレベルのＩＡＢノード（１０２−１Ａ）によって第２のレベルのＩＡＢノード（１０２−２Ａ）にも伝送されることができる。いくつかの実施形態によると、主要なシステム情報の元の形態は、デジタルビットの１つ以上の一続きとして提示され得、デジタルビットの１つ以上の一続きは、複数のステップ（例えば、コーディング、スクランブリング、変調、マッピングステップ等）を通して処理され得、その全ては、ＩＡＢドナープロセッサモジュール１５８によって処理され、第１のブロードキャスト信号となることができる。同様に、ＩＡＢノード１０２−１Ａが、いくつかの実施形態に従って、ＩＡＢノード１送受信機１６２を使用して第１のブロードキャスト信号を受信すると（シンボルフォーマットにおいて）、ＩＡＢノード１プロセッサモジュール１６８は、複数のステップ（デマッピング、復調、デコーディングステップ等）を実施し、例えば、主要なシステム情報のビットのビット場所、ビット番号等、主要なシステム情報を推定し得る。ＩＡＢノード１プロセッサモジュール１６８は、ＩＡＢノード１０２−１Ａにコンピュータ等の他のデバイスに接続する能力を提供するＩ／Ｏインターフェース１６９に結合される。Ｉ／Ｏインターフェース１６９は、これらの付属機器とＩＡＢノード１プロセッサモジュール１６８との間の通信経路である。
【００５１】
図２は、本開示のいくつかの実施形態による、複数の同期信号ブロック（ＳＳＢ）２０２を伴う無線フレーム構造２００の概略を図示する。ＳＳＢは、同期信号、物理ブロードキャストチャネル（ＰＢＣＨ）、対応する復調基準信号（ＤＭＲＳ）等を含むアクセス関連信号のために、時間／周波数ドメインにおいてリソース情報を搬送するために使用される。図示される実施形態において、複数のＳＳＢは、一緒にグループ化され、ＳＳＢバーストセット２０４を形成することができる。ＳＳＢバーストセット２０４内の複数のＳＳＢ２０２の各々は、特定のビーム／ポートまたは特定のビーム／ポート２０６の組のための同期信号を搬送する。完全なビーム掃引が、ＳＳＢバーストセット２０４内で実施され、すなわち、全てのビーム／ポートをＳＳＢバーストセット内で伝送することができる。ＳＳＢは、ＰＢＣＨおよび対応するＤＭＲＳ、他の制御チャネル、データチャネル等も含むことができる。いくつかの実施形態において、複数のＳＳＢは、ＳＳバーストセットの中に一緒にグループ化されることができる。そのような構造は、同期信号および掃引リソースを物理ブロードキャストチャネル（ＰＢＣＨ）上で伝送するために使用される。ＳＳバーストセットの複数のＳＳＢの各々は、特定のビームおよび／またはポートの同期信号を搬送する。ビーム／ポートは、ビーム掃引をＳＳバーストセット上で実施した後に伝送される。いくつかの実施形態において、ＳＳＢは、ＰＢＣＨ、対応するＤＭＲＳ、および他の制御チャネル、データチャネル等も含む。いくつかの実施形態において、複数のＳＳＢが、同じサブフレームまたはタイムスロットにマッピングされるとき、サブフレームまたはタイムスロットのエッジに対する異なるＳＳＢのオフセットは、異なる。セル内の異なる位置に位置するＵＥが、ＳＳＢ内の同期信号を検出することができる。ＵＥ１０４が同期させられるＳＳＢの時間インデックスは、サブフレームタイミングおよびスロットタイミングを達成するように要求される。
【００５２】
図３は、本開示のいくつかの実施形態による、ＳＳＢ構造３００の概略を図示する。いくつかの実施形態において、ＳＳＢは、初期アクセスのための信号およびチャネル、例えば、同期信号、物理ブロードキャストチャネル、および対応する復調基準信号（ＤＭＲＳ）等を搬送するために使用される。いくつかの実施形態において、ＳＳＢは、４つのＯＦＤＭ（直交周波数分割多重化）シンボル、すなわち、第１のＯＦＤＭシンボル３０２ａと、第２のＯＦＤＭシンボル３０２ｂと、第３のＯＦＤＭシンボル３０２ｃと、第４のＯＦＤＭシンボル３０２ｄとを含む。いくつかの実施形態において、第１および第３のＯＦＤＭシンボル３０２ａ／３０２ｃ上で、一次同期信号（ＰＳＳ）３０４および二次同期信号（ＳＳＳ）３０６が、それぞれ、搬送される。図示される実施形態において、ＰＢＣＨ３０８ａ／３０８ｂは、それぞれ、第２および第４のＯＦＤＭシンボル３０２ｂ／３０２ｄ上で伝送されることができる。いくつかの実施形態において、ＰＳＳ／ＳＳＳ  ３０４／３０６は、周波数ドメインにおいて、１２の物理リソースブロック（ＰＲＢ）３１０を占有し、ＰＢＣＨは、２４のＰＲＢ３１２を占有する。
【００５３】
図４は、本開示のいくつかの実施形態による、ＳＳＢ構造４１０の概略を図示する。いくつかの実施形態において、ＳＳ／ＰＨＣＨブロックは、初期アクセスのための信号およびチャネル、例えば、同期信号、物理ブロードキャストチャネル、および対応する復調基準信号（ＤＭＲＳ）等を搬送するために使用される。いくつかの実施形態において、ＳＳ／ＰＢＣＨブロックは、４つのＯＦＤＭ（直交周波数分割多重化）シンボル、すなわち、第１のＯＦＤＭシンボル４０２ａと、第２のＯＦＤＭシンボル４０２ｂと、第３のＯＦＤＭシンボル４０２ｃと、第４のＯＦＤＭシンボル４０２ｄとを含む。いくつかの実施形態において、第１および第３のＯＦＤＭシンボル４０２ａ／４０２ｃ上で、一次同期信号（ＰＳＳ）４０４および二次同期信号（ＳＳＳ）４０６が、それぞれ、搬送される。図示される実施形態において、ＰＢＣＨ４０８ａ／４０８ｂは、それぞれ、第２および第４のＯＦＤＭシンボル４０２ｂ／４０２ｄ上で伝送されることができ、ＰＢＣＨ４０８ｃは、第３のＯＦＤＭシンボル上で伝送される。いくつかの実施形態において、ＰＳＳ／ＳＳＳ４０４／４０６は、周波数ドメインにおいて、１２の物理リソースブロック（ＰＲＢ）４１０を占有し、第２および第４のＯＦＤＭシンボル４０２ｂ／４０２ｄ上のＰＢＣＨ４０８ａ／４０８ｂは、２０のＰＲＢ４１２を占有する。第３のＯＦＤＭシンボル４０２ｃ上のＰＢＣＨ４０８ｃは、８つのＰＲＢを占有する。具体的に、ＰＢＣＨ４０８ｃは、第３のＯＦＤＭシンボル４０２ｃ上のＳＳＳ４０６の各側において４つのＰＲＢを占有する。
【００５４】
図５は、本開示のいくつかの実施形態による、リソースブロック内のＳＳＢマッピングパターン５００の概略を図示する。図示される実施形態において、リソースブロック（ＲＢ）５０４は、タイムスロット５０２を占有し、タイムスロット５０２は、周波数ドメインにおける１２のサブキャリア５１２で１つのリソースブロック５０４を形成する。サブキャリア５１２内のタイムスロット５０２は、１４のＯＦＤＭシンボル５１０を含む。図示される実施形態において、サブキャリア５１２は、１５ｋＨｚの周波数を有する。タイムスロット５０２内に、２つのＳＳＢ５１４／５１５が存在し、２つのＳＳＢ５１４／５１５の各々は、４つのＯＦＤＭシンボルを占有する。具体的に、第１のＳＳＢ５１４は、シンボル２、３、４、および５を占有し、第２のＳＳＢ５１５は、シンボル８、９、１０、および１１を占有する。第１のＳＳＢ５１４および第２のＳＳＢ５１５は、ＰＲＢ５０４内の１２のサブキャリア５１２を占有し得る。図示されるＳＳＢは、１つのＰＲＢ５０４を占有するが、それは、限定することを意図するものではないことに留意されたい。ＳＳＢによって占有される、周波数ドメインにおける任意の数のＰＲＢは、本開示の範囲内である。
【００５５】
図６は、本開示のいくつかの実施形態による、リソースブロック内のＳＳＢマッピングパターン６００の概略を図示する。図示される実施形態において、リソースブロック（ＲＢ）５０４は、２つのタイムスロット、すなわち、第１のタイムスロット５０２ａと、第２のタイムスロット５０２ｂとを占有する。ＲＢ５０４は、周波数ドメインにおいて、１２のサブキャリア５１２を含む。サブキャリア５１２内の２つのタイムスロット５０２ａおよび５０２ｂの各々は、１４のＯＦＤＭシンボル５１０を含む。図示される実施形態において、サブキャリア５１２は、３０ｋＨｚの周波数を有する。タイムスロット５０２内に、２つのＳＳＢ５１４／５１５が存在し、２つのＳＳＢ５１４／５１５の各々は、４つのＳＣ−ＯＦＤＭシンボルを占有する。具体的に、第１のタイムスロット５０２ａの第１のＳＳＢ５１４ａは、シンボル４、５、６、および７を占有し、第１のタイムスロット５０２ａの第２のＳＳＢ５１５ａは、シンボル８、９、１０、および１１を占有する。第２のタイムスロット５０２ｂの第１のＳＳＢ５１４ｂは、シンボル２、３、４、および５を占有し、第２のタイムスロット５０２ｂの第２のＳＳＢ５１５ｂは、シンボル６、７、８、および９を占有する。第１および第２のタイムスロット５０２ａ／５０２ｂの第１のＳＳＢ５１４ａ／５１４ｂおよび第２のＳＳＢ５１５ａ／５１５ｂは、ＰＲＢ５０４内の１２のサブキャリア５１２をさらに占有する。図示されるＳＳＢは、１つのＰＲＢ５０４を占有するが、それは、限定することを意図するものではないことに留意されたい。ＳＳＢによって占有される周波数ドメインにおける任意の数のＰＲＢは、本開示の範囲内である。
【００５６】
図７は、本開示のいくつかの実施形態による、リソースブロック内のＳＳＢマッピングパターン７００の概略を図示する。図示される実施形態において、リソースブロック（ＲＢ）５０４は、２つのタイムスロット、すなわち、第１のタイムスロット５０２ａと、第２のタイムスロット５０２ｂとを占有する。ＲＢ５０４は、周波数ドメインにおいて、１２のサブキャリア５１２を含む。サブキャリア５１２内の２つのタイムスロット５０２ａおよび５０２ｂの各々は、１４のＯＦＤＭシンボル５１０を含む。図示される実施形態において、サブキャリア５１２は、３０ｋＨｚの周波数を有する。タイムスロット５０２内に、２つのＳＳＢ５１４／５１５が存在し、２つのＳＳＢ５１４／５１５の各々は、４つのＳＣ−ＯＦＤＭシンボルを占有する。具体的に、第１のタイムスロット５０２ａの第１のＳＳＢ５１４ａは、シンボル２、３、４、および５を占有し、第１のタイムスロット５０２ａの第２のＳＳＢ５１５ａは、シンボル８、９、１０、および１１を占有する。第２のタイムスロット５０２ｂの第１のＳＳＢ５１４ｂは、シンボル２、３、４、および５を占有し、第２のタイムスロット５０２ｂの第２のＳＳＢ５１５ｂは、シンボル８、９、１０、および１１を占有する。第１および第２のタイムスロット５０２ａ／５０２ｂの第１のＳＳＢ５１４ａ／５１４ｂおよび第２のＳＳＢ５１５ａ／５１５ｂは、ＰＲＢ５０４内の１２のサブキャリア５１２をさらに占有する。図示されるＳＳＢは、１つのＰＲＢ５０４を占有するが、それは、限定することを意図するものではないことに留意されたい。いくつかの他の実施形態において、ＳＳＢ５１４ａ、５１４ｂ、５１４ｃ、および５１４ｄは、複数のＰＲＢ５０４を占有する。いくつかの実施形態において、ＳＳＢは、２０のＰＲＢ５０４を占有する。ＳＳＢシステムによって占有される、周波数ドメインにおける任意の数のＰＲＢは、本開示の範囲内である。
【００５７】
図８は、本開示のいくつかの実施形態による、リソースブロック内のＳＳＢマッピングパターン８００の概略を図示する。図示される実施形態において、リソースブロック（ＲＢ）５０４は、２つのタイムスロット、すなわち、第１のタイムスロット５０２ａと、第２のタイムスロット５０２ｂとを占有する。ＲＢ５０４は、周波数ドメインにおいて、１２のサブキャリア５１２を含む。サブキャリア５１２内の２つのタイムスロット５０２ａおよび５０２ｂの各々は、１４のＯＦＤＭ（直交周波数分割多重化）シンボル５１０を含む。図示される実施形態において、サブキャリア５１２は、１２０ｋＨｚの周波数を有する。タイムスロット５０２内に、２つのＳＳＢ５１４／５１５が存在し、２つのＳＳＢ５１４／５１５の各々は、４つのＳＣ−ＯＦＤＭシンボルを占有する。具体的に、第１のタイムスロット５０２ａの第１のＳＳＢ５１４ａは、シンボル４、５、６、および７を占有し、第１のタイムスロット５０２ａの第２のＳＳＢ５１５ａは、シンボル８、９、１０、および１１を占有する。第２のタイムスロット５０２ｂの第１のＳＳＢ５１４ｂは、シンボル２、３、４、および５を占有し、第２のタイムスロット５０２ｂの第２のＳＳＢ５１５ｂは、シンボル６、７、８、および９を占有する。第１および第２のタイムスロット５０２ａ／５０２ｂの第１のＳＳＢ５１４ａ／５１４ｂおよび第２のＳＳＢ５１５ａ／５１５ｂは、ＰＲＢ５０４内の１２のサブキャリア５１２をさらに占有する。図示されるＳＳＢは、１つのＰＲＢ５０４を占有するが、それは、限定することを意図するものではないことに留意されたい。いくつかの他の実施形態において、ＳＳＢ５１４ａ、５１４ｂ、５１４ｃ、および５１４ｄは、複数のＰＲＢ５０４を占有する。いくつかの実施形態において、ＳＳＢは、２０のＰＲＢ５０４を占有する。ＳＳＢによって占有される周波数ドメインにおける任意の数のＰＲＢは、本開示の範囲内である。
【００５８】
図９は、本開示のいくつかの実施形態による、リソースブロック内のＳＳＢマッピングパターン９００の概略を図示する。図示される実施形態において、リソースブロック（ＲＢ）５０４は、２つのタイムスロット、すなわち、第１のタイムスロット５０２ａと、第２のタイムスロット５０２ｂとを占有する。ＲＢ５０４は、周波数ドメインにおいて、１２のサブキャリア５１２を含む。サブキャリア５１２内の２つのタイムスロット５０２ａおよび５０２ｂの各々は、２８のＯＦＤＭシンボル５１０を含む。図示される実施形態において、サブキャリア５１２は、２４０ｋＨｚの周波数を有する。タイムスロット５０２内に、４つのＳＳＢ５１４／５１５が存在し、４つのＳＳＢ５１４／５１５の各々は、４つのＳＣ−ＯＦＤＭシンボルを占有する。具体的に、第１のタイムスロット５０２ａの第１のＳＳＢ５１４ａは、シンボル８、９、１０、および１１を占有し、第１のタイムスロット５０２ａの第２のＳＳＢ５１５ａは、シンボル１２、１３、１４および１５を占有し、第１のタイムスロット５０２ａの第３のＳＳＢ５１４ｂは、シンボル１６、１７、１８、および１９を占有し、第１のタイムスロット５０２ａの第４のＳＳＢ５１５ｂは、シンボル２０、２１、２２、および２３を占有する。第２のタイムスロット５０２ｂの第１のＳＳＢ５１４ｃは、シンボル４、５、６、および７を占有し、第２のタイムスロット５０２ｂの第２のＳＳＢ５１５ｃは、シンボル８、９、１０、および１１を占有し、第２のタイムスロット５０２ｂの第３のＳＳＢ５１４ｄは、シンボル１２、１３、１４、および１５を占有し、第２のタイムスロット５０２ｂの第４のＳＳＢ５１５ｄは、シンボル１６、１７、１８、および１９を占有する。第１のタイムスロット５０２ａの４つのＳＳＢ５１４ａ／５１５ａ／５１４ｂ／５１５ｂおよび第１のタイムスロット５０２ｂの４つのＳＳＢ５１４ｃ／５１５ｃ／５１４ｄ／５１５ｄはさらに、ＰＲＢ５０４内の１２のサブキャリア５１２を占有する。８つの図示されるＳＳＢは、１つのＰＲＢ５０４を占有するが、それは、限定することを意図するものではないことに留意されたい。いくつかの他の実施形態において、ＳＳＢ５１４ａ／５１５ａ、５１４ｂ／５１５ｂ、５１４ｃ／５１５ｃ、および５１４ｄ／５１５ｄは、複数のＰＲＢ５０４を占有する。いくつかの実施形態において、ＳＳＢは、２０のＰＲＢ５０４を占有する。ＳＳＢによって占有される、周波数ドメインにおける任意の数のＰＲＢは、本開示の範囲内である。
【００５９】
図１０Ａ−１０Ｆは、本開示のいくつかの実施形態による、５ミリ秒（ｍｓ）の半無線フレーム内に複数の同期信号ブロック（ＳＳＢ）２０２を伴う無線フレーム構造１０００の概略を図示する。ＳＳＢの最大数は、周波数が３ギガヘルツ（ＧＨｚ）以下のとき、４であり、ＳＳＢの最大数は、周波数が３〜６ＧＨｚの範囲内であるとき、８であり、ＳＳＢの最大数は、周波数が６ＧＨｚ以上の等しいとき、６４である。
【００６０】
図１０Ａは、本開示のいくつかの実施形態による、５ｍｓの半無線フレーム５０４において、ＳＳＢ伝送のために１５ｋＨｚのサブキャリア間隔において２つのタイムスロット５０２を伴う半無線フレーム構造１０００の概略を図示する。いくつかの実施形態において、サブキャリア間隔（ＳＣＳ）は、１５ｋＨｚであり、ＳＳＢの最大数は、４である。５ｍｓの半無線フレームにおける１つのタイムスロットは、２つのＳＳＢを搬送し、１４のシンボルを含むことができる。タイムスロット５０２内に、２つのＳＳＢが存在し、２つのタイムスロットの各々は、１ｍｓを占有するので、最大数の２つのタイムスロットおよび４つのＳＳＢが、５ｍｓの半フレーム内で要求される。図示される実施形態において、第１の２つのタイムスロット５０２−１／５０２−２の各々は、２つのＳＳＢを含む。図３−７において上で議論されるように、ＳＳＢを伴うタイムスロットが、５ｍｓの半フレーム内の任意の２つのタイムスロットを占有し得、各ＳＳＢが、タイムスロット内の任意の４つの連続シンボルを占有し得ることに留意されたい。
【００６１】
図１０Ｂは、本開示のいくつかの実施形態による、５ｍｓの半無線フレーム５０４内でのＳＳＢ伝送のために１５ｋＨｚのサブキャリア間隔において４つのタイムスロット５０２を伴う半無線フレーム構造１０００の概略を図示する。いくつかの実施形態において、サブキャリア間隔（ＳＣＳ）は、１５ｋＨｚであり、ＳＳＢの最大数は、８である。５ｍｓの半無線フレーム内の１つのタイムスロットは、２つのＳＳＢを搬送し、１４のシンボルを含むことができる。タイムスロット５０２内に、２つのＳＳＢが存在し、２つのタイムスロットの各々が、１ｍｓを占有するので、最大数の４つのタイムスロットおよび８つのＳＳＢが、５ｍｓの半フレーム５０４内で要求される。図示される実施形態において、最初の４つのタイムスロット５０２−１／５０２−２／５０２−３／５０２−４の各々は、２つのＳＳＢを含む。図３−７において上で議論されるように、ＳＳＢを伴うタイムスロットが、５ｍｓの半フレーム５０４内の任意の４つのタイムスロットを占有し得、各ＳＳＢが、タイムスロット内の任意の４つの連続シンボルを占有し得ることに留意されたい。
【００６２】
図１０Ｃは、本開示のいくつかの実施形態による、５ｍｓの半無線フレーム５０４内でのＳＳＢ伝送のために３０ｋＨｚのサブキャリア間隔において２つのタイムスロット５０２を伴う半無線フレーム構造１０００の概略を図示する。いくつかの実施形態において、サブキャリア間隔（ＳＣＳ）は、３０ｋＨｚであり、ＳＳＢの最大数は、４である。５ｍｓの半無線フレーム内の１つのタイムスロットは、２つのＳＳＢを搬送し、１４のシンボルを含むことができる。タイムスロット５０２内に、２つのＳＳＢが存在し、２つのタイムスロットの各々は、０．５ｍｓを占有するので、最大数の２つのタイムスロットおよび４つのＳＳＢが、５ｍｓの半フレーム５０４内で要求される。図示される実施形態において、最初の２つのタイムスロット５０２−１／５０２−２の各々は、２つのＳＳＢを含む。図３−７において上で議論されるように、ＳＳＢを伴うタイムスロットが、５ｍｓの半フレーム５０４内の任意の２つのタイムスロットを占有し得、各ＳＳＢが、タイムスロット内の任意の４つの連続シンボルを占有し得ることに留意されたい。
【００６３】
図１０Ｄは、本開示のいくつかの実施形態による、５ｍｓの半無線フレーム５０４内でのＳＳＢ伝送のために３０ｋＨｚのサブキャリア間隔において４つのタイムスロット５０２を伴う半無線フレーム構造１０００の概略を図示する。いくつかの実施形態において、サブキャリア間隔（ＳＣＳ）は、３０ｋＨｚであり、ＳＳＢの最大数は、８である。５ｍｓの半無線フレーム内の１つのタイムスロットは、２つのＳＳＢを搬送し、１４のシンボルを含むことができる。タイムスロット５０２内に、２つのＳＳＢが存在し、４つのタイムスロットの各々は、０．５ｍｓを占有するので、最大数の４つのタイムスロットおよび８つのＳＳＢが、５ｍｓの半フレーム５０４内で要求される。図示される実施形態において、最初の４つのタイムスロット５０２−１／５０２−２／５０２−３／５０２−４の各々は、２つのＳＳＢを含む。図３−５および８において上で議論されるように、ＳＳＢを伴うタイムスロット５０２が、５ｍｓの半フレーム５０４内の任意の４つのタイムスロットを占有し得、各ＳＳＢが、タイムスロット内の任意の４つの連続シンボルを占有し得ることに留意されたい。
【００６４】
図１０Ｅは、本開示のいくつかの実施形態による、５ｍｓの半無線フレーム５０４内でのＳＳＢ伝送のために１２０ｋＨｚのサブキャリア間隔において３２のタイムスロット５０２を伴う無線フレーム構造１０００の概略を図示する。いくつかの実施形態において、サブキャリア間隔（ＳＣＳ）は、１２０ｋＨｚであり、ＳＳＢの最大数は、６４である。５ｍｓの半無線フレーム内の１つのタイムスロットは、２つのＳＳＢを搬送し、１４のシンボルを含むことができる。タイムスロット５０２内に、２つのＳＳＢが存在し、６４のタイムスロットの各々は、０．５ｍｓを占有するので、最大数の４つのタイムスロットおよび８つのＳＳＢが、５ｍｓの半フレーム５０４内で要求される。図示される実施形態において、１２０ｋＨｚのサブキャリア間隔における３２のタイムスロット５０２の各々は、２つのＳＳＢを含む。図３−５および８において上で議論されるように、ＳＳＢを伴うタイムスロット５０２が、５ｍｓの半フレーム５０４内の任意の４つのタイムスロットを占有し得、各ＳＳＢが、タイムスロット内の任意の４つの連続シンボルを占有し得ることに留意されたい。
【００６５】
図１０Ｆは、本開示のいくつかの実施形態による、５ｍｓの半無線フレーム５０４内でのＳＳＢ伝送のために１２０ｋＨｚのサブキャリア間隔において１６のタイムスロット５０２を伴う半無線フレーム構造１０００の概略を図示する。いくつかの実施形態において、サブキャリア間隔（ＳＣＳ）は、１２０ｋＨｚであり、ＳＳＢの最大数は、６４である。５ｍｓの半無線フレーム内の１２０ｋＨｚのサブキャリア間隔における１つのタイムスロットは、４つのＳＳＢを搬送し、２４０ｋＨｚのサブキャリア間隔における２８のシンボルを含むことができる。タイムスロット５０２内に、１２０ｋＨｚのサブキャリア間隔を伴う４つのＳＳＢが存在し、１６のタイムスロットの各々は、０．１２５ｍｓを占有するので、最大数の１６のタイムスロットおよび６４のＳＳＢが、５ｍｓの半フレーム５０４内で要求される。図３−５および８において上で議論されるようにＳＳＢを伴うタイムスロット５０２が、半フレーム５０４内の任意の４つのタイムスロットを占有し得、各ＳＳＢが、タイムスロット内の任意の４つの連続シンボルを占有し得ることに留意されたい。具体的ＳＣＳ内のタイムスロットは、具体的ＳＣＳ内の１４の連続ＯＦＤＭシンボルを含む。
【００６６】
いくつかの実施形態において、図１０Ａ−１０Ｆにおける半無線フレーム内のタイムスロットの例示的構成は、ＩＡＢノード１０２がＳＳＢを伝送するために、すなわち、ＳＳＢの潜在的伝送のために潜在的に使用され得る全ての利用可能なタイムスロットを図示する。ＩＡＢノード１０２が、ＩＡＢノード１０２がＳＳＢを伝送するために、すなわち、ＳＳＢの実際の伝送のために実際に使用され得る半無線フレーム内のこれらの利用可能なものから、任意の１つ以上のタイムスロットを選択し得ることに留意されたい。いくつかの実施形態において、ＳＳＢの実際の伝送のためのタイムスロットは、ＳＳＢの潜在的伝送のためのタイムスロットの一部である。
【００６７】
図１１は、本開示のいくつかの実施形態による、無線フレーム構造１１００の概略を図示する。図示される実施形態において、ＳＳＢ伝送周期は、時間ウィンドウ２０ｍｓと同じ長さを有し、ＳＳＢ伝送のためのＳＳＢバーストセット１１０６−１Ａは、ＳＳＢの実際の伝送のための２０ｍｓの周期１１０４を伴う第１の半無線フレーム１１０２を占有する。いくつかの実施形態において、２０ｍｓのＳＳＢ伝送周期は、初期アクセスをサポートするキャリアのために、ＵＥ１０４上でＳＳＢを検出および受信するために使用される。ＳＳＢバーストセット１１０６−Ａは、２ｍｓの長さ１１０５を有し、５ｍｓの長さを有する半無線フレーム１１０２内の最初の２ｍｓを占有する。ＳＳＢバーストセット１１０６−Ａは、複数のＳＳＢ５１４／５１５を含む。周期１１０４内の３つの他のＳＳＢバーストセット１１０６−Ｂ、１１０６−Ｃ、および１１０６−Ｄは、ＳＳＢの潜在的伝送のためのものである。無線フレーム構造１１００は、システム帯域幅および帯域幅部分（ＢＷＰ）１１０８を占有する。いくつかの実施形態において、ＢＷＰは、データスケジューリングのための周波数範囲として使用され得るシステム帯域幅の一部である。図６−９に議論されるように、半無線フレーム１１０２が、ＳＳＢの実際の伝送のために周期１１０４内の４つの半無線フレームのうちの任意の１つを占有し得、ＳＳＢバーストセット１１０６が、半無線フレーム１１０２内の任意のシンボルを占有し得、本開示の範囲内であることに留意されたい。
【００６８】
いくつかの実施形態において、ＳＳＢ伝送周期は、以下のうちの１つであることができる：５、１０、２０、４０、８０、および１６０ｍｓ。いくつかの実施形態において、ＳＳＢ伝送周期が、１０ｍｓであるとき、奇数（すなわち、１１０２−Ａおよび１１０２−Ｃ）または偶数位置（１１０２−Ｂおよび１１０２−Ｄ）における半無線フレーム１１０２内の２つのＳＳＢバーストセット１１０６が、ＳＳＢの実際の伝送のために使用されることができる。いくつかの実施形態において、ＳＳＢ伝送周期が、５ｍｓであるとき、対応する半無線フレーム１１０２（すなわち、１１０２−Ａ、１１０２−Ｂ、１１０２−Ｃ、および１１０２−Ｄ）内の全４つのＳＳＢバーストセット１１０６（すなわち、１１０６−Ａ、１１０６−Ｂ、１１０６−Ｃ、および１１０６−Ｄ）が、ＳＳＢの実際の伝送のために使用される。
【００６９】
図１２は、本開示のいくつかの実施形態による、半無線フレーム構造１２００の概略を図示する。図示される実施形態において、ＳＳＢ伝送周期は、２０ｍｓであり、第１のタイムスロット１１０２を占有する。さらに、ＳＳＢバーストセット１１０６は、５つのタイムスロット５０２、すなわち、５０２Ａ、５０２Ｂ、５０２Ｃ、５０２Ｄ、および５０２Ｅを含む。タイムスロット５０２の各々は、１つのＢＷＰ１１０８および１４のＯＦＤＭシンボル５１０を占有する。最初の４タイムスロットの各々は、２つのＳＳＢ５１４／５１５を含み、各ＳＳＢは、４つのＯＦＤＭシンボルおよび周波数範囲１２０２を占有し、周波数範囲１２０２は、ＢＷＰ１１０８より小さい。図示される実施形態において、２つのＳＳＢ５１４／５１５は、最初の４つのタイムスロット５０２内の同じＯＦＤＭシンボルを占有する。図１２００が、例であり、タイムスロット内のＳＳＢおよび半無線フレーム内のＳＳＢバーストセットの任意の構成および異なるＳＳＢ伝送周期が、使用され得、本開示の範囲内であることに留意されたい。
【００７０】
いくつかの実施形態において、ＳＳＢ伝送期間内のＳＳＢバーストセット１１０６が、対応するＩＡＢノード１０２が他のＩＡＢノード１０２から伝送されるＳＳＢを検出し得るようにミュートされることが要求されるとき、第１の半無線フレーム１１０２内の全８つのＳＳＢ５１４／５１５によって占有されるリソースが、ＳＳＢ伝送期間においてミューティングリソースとして構成されることができる。具体的に、図示される実施形態において、ミューティングリソースは、第１のタイムスロット５０２ＡのＳＳＢ５１４Ａおよび５１５Ａ、第２のタイムスロット５０２Ｂの５１４Ｂおよび５１５Ｂ、第３のタイムスロット５０２Ｃの５１４Ｃおよび５１５Ｃ、および第４のタイムスロット５０２Ｄの５１４Ｄおよび５１５Ｄであり、３２のＯＦＤＭシンボル５１０および２０のＰＲＢの周波数範囲１２０２を占有する。
【００７１】
いくつかの実施形態において、ＳＳＢ伝送期間内のＳＳＢバーストセット１１０６が、対応するＩＡＢノード１０２が隣接するＩＡＢノード１０２から伝送されるＳＳＢを検出し得るようにミュートされることが要求されるとき、半無線フレーム１１０２内のＳＳＢの実際の伝送のためのリソースは、ＳＳＢ伝送期間内のミューティングリソースとして構成されることができる。１つのＳＳＢ伝送期間内に８つの総ＳＳＢブロックが存在するが、３つのＳＳＢは、ＳＳＢの実際の伝送のためにＩＡＢノード１０２によって選択されず、これらのＳＳＢは、ミューティングリソースとして使用されない。具体的に、図示される実施形態において、ミューティングリソースは、第１のタイムスロット５０２ＡのＳＳＢ５１４Ａ、第２のタイムスロット５０２Ｂの５１４Ｂ、第３のタイムスロット５０２Ｃの５１４Ｃ、および第４のタイムスロット５０２Ｄの５１４Ｄおよび５１５Ｄであり、２０のＯＦＤＭシンボル５１０および２０のＰＲＢの周波数範囲１２０２を占有する。
【００７２】
図１３は、本開示のいくつかの実施形態による、半無線フレーム構造１３００の概略を図示する。図示される実施形態において、ＳＳＢ伝送周期１１０４は、２０ｍｓであり、第１の半無線フレーム１１０２を占有する。さらに、ＳＳＢバーストセット１１０６は、５つのタイムスロット５０２、すなわち、５０２Ａ、５０２Ｂ、５０２Ｃ、５０２Ｄ、および５０２Ｅを含む。タイムスロット５０２の各々は、１つのＢＷＰ１１０８と、１４のＯＦＤＭシンボル５１０とを占有する。最初の４つのタイムスロットの各々は、２つのＳＳＢ５１４／５１５を含み、各ＳＳＢは、４つのＯＦＤＭシンボルおよび周波数範囲１２０２を占有し、周波数範囲１２０２は、ＢＷＰ１１０８より小さい。さらに、図示される実施形態において、２つのＳＳＢ５１４／５１５は、最初の４つのタイムスロット５０２内の同じＯＦＤＭシンボルを占有する。図１２００が、例であり、タイムスロット内のＳＳＢおよび半無線フレーム内のＳＳＢバーストセットの任意の構成および異なるＳＳＢ伝送周期が、使用され得、本開示の範囲内であることに留意されたい。
【００７３】
いくつかの実施形態において、ＳＳＢ伝送期間１１０４内のＳＳＢバーストセット１１０６が、対応するＩＡＢノード１０２が他のＩＡＢノード１０２から伝送されるＳＳＢを検出し得るようにミュートされることが要求されるとき、ＢＷＰ１１０８の周波数範囲を伴い、半無線フレーム１１０２内の全８つのＳＳＢ５１４／５１５によって占有されるＯＦＤＭシンボル５１０上にあるリソースが、ＳＳＢ伝送期間内のミューティングリソースとして構成されることができる。具体的に、図示される実施形態において、ＳＳＢ、第１のタイムスロット５０２Ａの５１４Ａおよび５１５Ａ、第２のタイムスロット５０２Ｂの５１４Ｂおよび５１５Ｂ、第３のタイムスロット５０２Ｃの５１４Ｃおよび５１５Ｃ、および第４のタイムスロット５０２Ｄの５１４Ｄおよび５１５Ｄの各々は、４つのＯＦＤＭシンボル５１０（すなわち、２、３、４、５、８、９、１０、および１１シンボル）、および、２０のＰＲＢの周波数範囲１２０２を占有する。ミューティングリソース１３０２（すなわち、１３０２Ａ、１３０２Ｂ、１３０２Ｃ、１３０２Ｄ、１３０２Ｅ、１３０２Ｆ、１３０２Ｇ、および１３０２Ｈ）は、８つのＳＳＢ５１４／５１５全てに対応する３２のＯＦＤＭシンボル上の周波数ドメインにおける全てのリソース（すなわち、システム帯域幅またはＢＷＰ１１０８）を占有する。
【００７４】
いくつかの実施形態において、ＳＳＢ伝送期間１１０４内のＳＳＢバーストセット１１０６が、対応するＩＡＢノード１０２が他のＩＡＢノード１０２から伝送されるＳＳＢを検出し得るようにミュートされることが要求されるとき、ＢＷＰ１１０８の周波数範囲を伴い、かつＳＳＢの実際の伝送のために半無線フレーム１１０２内でＳＳＢ５１４／５１５によって占有されるＯＦＤＭシンボル５１０上にあるリソースが、ＳＳＢ伝送期間内のミューティングリソースとして構成されることができる。具体的に、図示される実施形態において、ＳＳＢ、第１のタイムスロット５０２Ａの５１４Ａ、第２のタイムスロット５０２Ｂの５１４Ｂ、第３のタイムスロット５０２Ｃの５１４Ｃ、および第４のタイムスロット５０２Ｄの５１４Ｄおよび５１５Ｄの各々は、ＳＳＢの実際の伝送のために使用され、タイムスロット内の４つのＯＦＤＭシンボル５１０（すなわち、２、３、４、５、８、９、１０、および１１シンボル）、および２０のＰＲＢの周波数範囲１２０２を占有する。ミューティングリソース１３０２（すなわち、１３０２Ａ、１３０２Ｃ、１３０２Ｅ、１３０２Ｇ、および１３０２Ｈ）は、ＳＳＢが、第１のタイムスロット５０２ＡのＳＳＢ５１４Ａ、第２のタイムスロット５０２Ｂの５１４Ｂ、第３のタイムスロット５０２Ｃの５１４Ｃ、および第４のタイムスロット５０２Ｄの５１４Ｄおよび５１５Ｄであることに対応する２０のＯＦＤＭシンボル上の周波数ドメインにおける全てのリソース（すなわち、システム帯域幅およびＢＷＰ）を占有する。
【００７５】
いくつかの実施形態において、ＳＳＢ伝送期間１１０４内のＳＳＢバーストセット１１０６が、対応するＩＡＢノード１０２が他のＩＡＢノード１０２から伝送されるＳＳＢを検出し得るようにミュートされることが要求されるとき、ＳＳＢ５１４／５１５の潜在的伝送を伴う４つのタイムスロット５０２の全ての中のリソースが、ミューティングリソースとして構成されることができる。具体的に、時間ドメインにおける４つのタイムスロット５０２の全ての中のＯＦＤＭシンボル５１０の全て（すなわち、５６のＯＦＤＭシンボル）を占有し、周波数ドメインにおけるＳＳＢ１２０２の周波数範囲内にある全てのリソースが、ミューティングリソースとして構成される。これらのリソースは、ＳＳＢ伝送のためおよびデータ伝送のための全てのリソースを含む。いくつかの実施形態において、ミューティングリソースは、時間ドメインにおいて連続リソースを含む。いくつかの実施形態において、ミューティングリソースは、時間ドメインにおいて５６のＯＦＤＭシンボル５１０を占有する全４つのタイムスロット５０２における、システム帯域幅またはＢＷＰ１１０８における全てのＰＲＢを対象とする周波数範囲におけるリソースである。
【００７６】
いくつかの実施形態において、ＳＳＢ伝送期間１１０４内のＳＳＢバーストセット１１０６が、対応するＩＡＢノード１０２が他のＩＡＢノード１０２から伝送されるＳＳＢを検出し得るようにミュートされることが要求されるとき、ＳＳＢ５１４／５１５の実際の伝送のためのリソースを伴うタイムスロット５０２内のリソースが、ミューティングリソースとして構成されることができる。具体的に、図示される実施形態において、第１のタイムスロット５０２ＡのＳＳＢ  ５１４Ａ、第２のタイムスロット５０２Ｂの５１４Ｂ、および第３のタイムスロット５０２Ｃの５１４Ｃの各々は、ＳＳＢの実際の伝送のために使用され、タイムスロット内の４つのＯＦＤＭシンボル５１０、２０のＰＲＢの周波数範囲１２０２を占有する。ミューティングリソースは、タイムスロット５０２Ａ、５０２Ｂ、および５０２Ｃ内のリソースであり、時間ドメインにおける４２のＯＦＤＭシンボル５１０と、周波数ドメインにおける２０のＰＲＢの周波数範囲１２０２とを占有する。いくつかの他の実施形態において、ミューティングリソースは、タイムスロット５０２Ａ、５０２Ｂ、および５０２Ｃ内のリソースであり、時間ドメインにおける４２のＯＦＤＭシンボル５１０と、システム帯域幅またはＢＷＰ１１０８内の全てのＰＲＢを網羅する周波数範囲１１０８とを占有する。
【００７７】
いくつかの実施形態において、ＳＳＢ伝送期間内のＳＳＢバーストセット１１０６が、対応するＩＡＢノード１０２が他のＩＡＢノード１０２から伝送されるＳＳＢを検出し得るようにミュートされることが要求されるとき、ＳＳＢ５１４／５１５の潜在的伝送のための期間を伴う半無線フレーム１１０２全体内のリソースが、ミューティングリソースとして構成されることができる。いくつかの実施形態において、ミューティングリソースは、半無線フレーム１１０２内のリソースであり、５つのタイムスロット５０２（すなわち、６０のＯＦＤＭシンボル）と、２０のＲＢの周波数範囲１２０２とを占有する。いくつかの他の実施形態において、ミューティングリソースは、５つのタイムスロット５０２（すなわち、６０のＯＦＤＭシンボル）、およびシステム帯域幅またはＢＷＰ１１０８内の全てのＰＲＢを対象とする周波数範囲１１０８を占有する半無線フレーム１１０２内のリソースである。
【００７８】
図１４は、本開示のいくつかの実施形態による、通信システムにおけるＩＡＢノードのためのミューティング期間構成を実施する方法１４００を図示する。追加の動作が、図１４の方法１４００の前、間、および後に提供され得、いくつかの動作が、省略または並べ替えられ得ることを理解されたい。通信システムは、１つのＩＡＢドナー１０２−０Ａと、２つの第１のレベルのＩＡＢノード１０２−１Ａおよび１０２−１Ｂと、１つの第２のレベルのＩＡＢノード１０２−２Ａとを含む。図１４が、例であり、任意の数のＩＡＢノードを含む通信システムが、本開示の範囲内であることに留意されたい。
【００７９】
方法１４００は、動作１４０２から開始し、ミューティングリソース構成情報が、上位レベルのＩＡＢノード（親ＩＡＢノードとも呼ばれ得る）から下位レベルのＩＡＢノード（息子ＩＡＢノードとも呼ばれ得る）に伝送される。具体的に、第１の第１のレベルのＩＡＢノード（１０２−１Ａ）および第２の第１のレベルのＩＡＢノード（１０２−１Ｂ）が、ミューティング構成情報をＩＡＢドナー１０２−０Ａから取得する。第２のレベルのＩＡＢノード１０２−２Ａは、ミューティング構成情報を対応する第２の第１のレベルのＩＡＢノード１０２−１Ｂから取得する。
【００８０】
いくつかの実施形態において、ミューティングリソース構成情報は、以下のうちの１つを通して、上位レベルのＩＡＢノードから下位レベルのＩＡＢノードに伝送されることができる：既存のシステム情報ブロック（例えば、ＳＩＢ１またはＳＩＢ２）、ＩＡＢ関連ＳＩＢ（すなわち、ＳＩＢｎ）、および、ＵＥ規定無線リソース制御（ＲＲＣ）シグナリング。いくつかの実施形態において、ミューティングリソースは、ＳＳＢバーストセットにおけるリソースを含む。いくつかの実施形態において、ミューティングリソース構成情報は、システム情報およびＲＲＣシグナリングの組み合わせで、上位レベルのＩＡＢノードから下位レベルのＩＡＢノードに伝送されることができる。
【００８１】
いくつかの実施形態において、ミューティングリソース構成情報は、ミューティング周期、ミューティングパターンテーブルインデックス、およびミューティングパターンインデックスを含む。いくつかの実施形態において、ミューティング周期は、システムによって事前定義される。いくつかの実施形態において、ミューティング周期の値は、ビットフィールドを使用して、上位レベルのＩＡＢノードから下位レベルのＩＡＢノードに示されることができる。例えば、４０、８０、１６０、および３２０ｍｓを含むミューティング周期の４つの値（すなわち、ミューティング周期値の組）が存在する場合、２ビットインデックスが、これらの値を示すために使用されることができる。具体的に、００が、４０ｍｓのミューティング周期を表し、０１が、８０ｍｓのミューティング周期を表し、１０が、１６０ｍｓのミューティング周期を表し、１１が、３２０ｍｓのミューティング周期を表す。いくつかの実施形態において、ミューティング周期は、固定値であり、全てのＩＡＢノードに対して事前に構成され、この場合、ミューティングリソース構成情報は、ミューティング周期を含まない。
【００８２】
図１５は、本開示のいくつかの実施形態による、１６０ｍｓのミューティング周期１５０２を伴う３つのＩＡＢノード１０２のための無線フレーム構造１５００を図示する。いくつかの実施形態において、ミューティング周期１５０２は、システムによって事前に定義される。ミューティング周期１５０２の各々の第１のシンボルは、無線フレームの開始エッジとして定義され、それは、ＳＦＮ  ｍｏｄ  １６＝０を満たす。いくつかの実施形態において、ミューティング周期１５０２は、１６の無線フレームを占有する。図示される実施形態において、ＳＳＢ伝送周期は、２０ｍｓであり、１つのミューティング周期１５０２内に８つの潜在的ミューティングリソースが存在する。ＳＳＢ伝送周期１１０４およびミューティング周期１５０２が他の値であり、それらが１つのミューティング周期１５０２内に異なる数のミューティングリソースをもたらし得、それらが本開示の範囲内である、得ることに留意されたい。
【００８３】
図１５の図示される実施形態において、第１の第１のレベルのＩＡＢノード１０２−１Ａと、第２の第１のレベルのＩＡＢノード１０２−１Ｂと、第３の第１のレベルのＩＡＢノード１０２−１Ｃとを含む３つの第１のレベルのＩＡＢノードが存在する。３つのＩＡＢノードの各々は、１２０ｍｓのミューティング周期と、２０ｍｓのＳＳＢ伝送周期とを有する。具体的に、第１の第１のレベルのＩＡＢノード１０２−１Ａは、第１のＳＳＢ伝送期間内のミューティングリソース１１０６−１上でミュートし、第２の第１のレベルのＩＡＢノード１０２−１Ｂは、第２のＳＳＢ伝送期間内のミューティングリソース１１０６−２上でミュートし、第３の第１のレベルのＩＡＢノード１０２−１Ｃは、第３のＳＳＢ伝送期間内のミューティングリソース１１０６−３上でミュートする。
【００８４】
図１４に戻って参照すると、ミューティングパターンテーブルが、システムによって事前に定義され、２ビットのビットフィールドが、ミューティングパターンテーブルインデックスの指示に関して使用され、下位レベルのＩＡＢノードに伝送されることができる。例えば、００のミューティングパターンテーブルインデックス値が、ミューティングパターンテーブル１に対応し、０１のミューティングパターンテーブルインデックス値が、ミューティングパターンテーブル２に対応し、１０のミューティングパターンテーブルインデックス値が、ミューティングパターンテーブル３に対応し、１１のミューティングパターンテーブルインデックス値が、ミューティングパターンテーブル４に対応する。
【００８５】
図１６Ａ−１６Ｄは、本開示のいくつかの実施形態による、例示的ミューティングパターンを伴う例示的ミューティングパターンテーブル１６００を図示する。４つのミューティングパターンテーブル１６００の各々は、８つの異なるミューティングパターン１６０４を含み、テーブル内の８つのミューティングパターンの各々は、ミューティングパターンインデックス１６０２、すなわち、０−７でインデックス化される。さらに、８つのミューティングパターンの各々は、８つのＳＳＢ伝送リソース、すなわち、ＳＳＢの潜在的伝送のためのリソース０−７を含む。
【００８６】
図１６Ａのミューティングパターンテーブル１６００において、８つのミューティングパターンの各々は、１つのミューティングリソースと、７つの規則的ＳＳＢ伝送リソースとを含む。具体的に、ミューティングパターンテーブル１６００内の０のミューティングパターンインデックスにおいて、ＳＳＢ伝送リソース０が、ミューティングリソースであり、ＳＳＢ伝送リソースの残り（すなわち、１−７）が、ＳＳＢの実際の伝送のためのものであり、ミューティングパターンテーブル１６００内の１のミューティングパターンインデックスにおいて、ＳＳＢ伝送リソース１が、ミューティングリソースであり、ＳＳＢ伝送リソースの残り（すなわち、０、および２−７）が、ＳＳＢの実際の伝送のためのものであり、ミューティングパターンテーブル１６００内の２のミューティングパターンインデックスにおいて、ＳＳＢ伝送リソース２が、ミューティングリソースであり、ＳＳＢ伝送リソースの残り（すなわち、０、１、および３−７）が、ＳＳＢの実際の伝送のためのものであり、ミューティングパターンテーブル１６００内の３のミューティングパターンインデックスにおいて、ＳＳＢ伝送リソース３が、ミューティングリソースであり、ＳＳＢ伝送リソースの残り（すなわち、０−２、および４−７）が、ＳＳＢの実際の伝送のためのものであり、１６００内の４のミューティングパターンインデックスにおいて、ＳＳＢ伝送リソース４が、ミューティングリソースであり、ＳＳＢ伝送リソースの残り（すなわち、０−３、および５−７）が、ＳＳＢの実際の伝送のためのものであり、ミューティングパターンテーブル１６００内の５のミューティングパターンインデックスにおいて、ＳＳＢ伝送リソース５が、ミューティングリソースであり、ＳＳＢ伝送リソースの残り（すなわち、０−４、６、および７）が、ＳＳＢの実際の伝送のためのものであり、ミューティングパターンテーブル１６００内の６のミューティングパターンインデックスにおいて、ＳＳＢ伝送リソース６が、ミューティングリソースであり、ＳＳＢ伝送リソースの残り（すなわち、０−５、および７）が、ＳＳＢの実際の伝送のためのものであり、ミューティングパターンテーブル１６００内の７のミューティングパターンインデックスにおいて、ＳＳＢ伝送リソース７が、ミューティングリソースであり、ＳＳＢ伝送リソースの残り（すなわち、１−６）が、ＳＳＢの実際の伝送のためのものである。
【００８７】
図１６Ｂのミューティングパターンテーブル１６１０において、８つのミューティングパターンの各々は、７つのミューティングリソースと、ＳＳＢの実際の伝送のための１つのリソースとを含む。具体的に、ミューティングパターンテーブル１６００内の０のミューティングパターンインデックスにおいて、ＳＳＢ伝送リソース０が、ＳＳＢの実際の伝送のためのリソースであり、残りは、ミューティングリソース（すなわち、１−７）であり、ミューティングパターンテーブル１６００内の１のミューティングパターンインデックスにおいて、ＳＳＢ伝送リソース１が、ＳＳＢの実際の伝送のためのリソースであり、残りは、ミューティングリソース（すなわち、０、および２−７）であり、ミューティングパターンテーブル１６００内の２のミューティングパターンインデックスにおいて、ＳＳＢ伝送リソース２が、ＳＳＢの実際の伝送のためのリソースであり、残りは、ミューティングリソース（すなわち、０、１、および３−７）であり、ミューティングパターンテーブル１６００内の３のミューティングパターンインデックスにおいて、ＳＳＢ伝送リソース３が、ＳＳＢの実際の伝送のためのリソースであり、残りは、ミューティングリソース（すなわち、０−２、および４−７）であり、ミューティングパターンテーブル１６００内の４のミューティングパターンインデックスにおいて、ＳＳＢ伝送リソース４が、ＳＳＢの実際の伝送のためのリソースであり、残りは、ミューティングリソース（すなわち、０−３、および５−７）であり、ミューティングパターンテーブル１６００内の５のミューティングパターンインデックスにおいて、ＳＳＢ伝送リソース５が、ＳＳＢの実際の伝送のためのリソースであり、残りは、ミューティングリソース（すなわち、０−４、６、および７）であり、ミューティングパターンテーブル１６００内の６のミューティングパターンインデックスにおいて、ＳＳＢ伝送リソース６が、ＳＳＢの実際の伝送のためのリソースであり、残りは、ミューティングリソース（すなわち、０−５、および７）であり、ミューティングパターンテーブル１６００内の７のミューティングパターンインデックスにおいて、ＳＳＢ伝送リソース７が、ＳＳＢの実際の伝送のためのリソースであり、残りは、ミューティングリソース（すなわち、１−６）である。
【００８８】
図１６Ｃのミューティングパターンテーブル１６２０において、８つのミューティングパターンの各々は、４つのミューティングリソースと、ＳＳＢの実際の伝送のための３つのリソースとを含む。具体的に、ミューティングパターンテーブル１６００内の０のミューティングパターンインデックスにおいて、ＳＳＢ伝送リソース１、３、５、および７が、ミューティングリソースであり、ＳＳＢ伝送リソース０、２、４、および６が、ＳＳＢの実際の伝送のためのものであり、ミューティングパターンテーブル１６００内の１のミューティングパターンインデックスにおいて、ＳＳＢ伝送リソース０、２、４および６が、ミューティングリソースであり、ＳＳＢ伝送リソース１、３、５、および７が、ＳＳＢの実際の伝送のためのものであり、ミューティングパターンテーブル１６００内の２のミューティングパターンインデックスにおいて、ＳＳＢ伝送リソース２、３、６、および７が、ミューティングリソースであり、ＳＳＢ伝送リソース０、１、４、および５が、ＳＳＢの実際の伝送のためのものであり、ミューティングパターンテーブル１６００内の３のミューティングパターンインデックスにおいて、ＳＳＢ伝送リソース０、１、４、および５が、ミューティングリソースであり、ＳＳＢ伝送リソース２、３、６、および７が、ＳＳＢの実際の伝送のためのものであり、ミューティングパターンテーブル１６００内の４のミューティングパターンインデックスにおいて、ＳＳＢ伝送リソース２、３、４、および５が、ミューティングリソースであり、ＳＳＢ伝送リソース０、１、６、および７が、ＳＳＢの実際の伝送のためのものであり、ミューティングパターンテーブル１６００内の５のミューティングパターンインデックスにおいて、ＳＳＢ伝送リソース０、１、６、および７が、ミューティングリソースであり、ＳＳＢ伝送リソース２、３、４、および５が、ＳＳＢの実際の伝送のためのものであり、ミューティングパターンテーブル１６００内の６のミューティングパターンインデックスにおいて、ＳＳＢ伝送リソース４、５、６、および７が、ミューティングリソースであり、ＳＳＢ伝送リソース０、１、２、および３が、ＳＳＢの実際の伝送のためのものであり、ミューティングパターンテーブル１６００内の７のミューティングパターンインデックスにおいて、ＳＳＢ伝送リソース０、１、２、および３が、ミューティングリソースであり、ＳＳＢ伝送リソース４、５、６、および７が、ＳＳＢの実際の伝送のためのものである。
【００８９】
図１６Ｄのミューティングパターンテーブル１６３０において、８つのミューティングパターンの各々は、２つのミューティングリソースと、６つのＳＳＢの実際の伝送のためのリソースとを含む。具体的に、ミューティングパターンテーブル１６００内の０のミューティングパターンインデックスにおいて、ＳＳＢ伝送リソース６および７が、ミューティングリソースであり、ＳＳＢ伝送リソース０−５が、ＳＳＢの実際の伝送のためのものであり、ミューティングパターンテーブル１６００内の１のミューティングパターンインデックスにおいて、ＳＳＢ伝送リソース０および１が、ミューティングリソースであり、ＳＳＢ伝送リソース２−７が、ＳＳＢの実際の伝送のためのものであり、ミューティングパターンテーブル１６００内の２のミューティングパターンインデックスにおいて、ＳＳＢ伝送リソース２、および３が、ミューティングリソースであり、ＳＳＢ伝送リソース０、１、および４−７ＳＳＢの実際の伝送のためのものであり、ミューティングパターンテーブル１６００内の３のミューティングパターンインデックスにおいて、ＳＳＢ伝送リソース４および５が、ミューティングリソースであり、ＳＳＢ伝送リソース０−３、６、および７が、ＳＳＢの実際の伝送のためのものであり、ミューティングパターンテーブル１６００内の４のミューティングパターンインデックスにおいて、ＳＳＢ伝送リソース５および７が、ミューティングリソースであり、ＳＳＢ伝送リソース０−４、および６が、ＳＳＢの実際の伝送のためのものであり、ミューティングパターンテーブル１６００内の５のミューティングパターンインデックスにおいて、ＳＳＢ伝送リソース４および６が、ミューティングリソースであり、ＳＳＢ伝送リソース０−３、５および７が、ＳＳＢの実際の伝送のためのものであり、ミューティングパターンテーブル１６００内の６のミューティングパターンインデックスにおいて、ＳＳＢ伝送リソース１および３が、ミューティングリソースであり、ＳＳＢ伝送リソース０、２、および４−７が、ＳＳＢの実際の伝送のためのものであってミューティングパターンテーブル１６００内の７のミューティングパターンインデックスにおいて、ＳＳＢ伝送リソース０および２が、ミューティングリソースであり、ＳＳＢ伝送リソース１、および３−７が、ＳＳＢの実際の伝送のためのものである。
【００９０】
図１６Ａ−１６Ｄは、例示的ミューティングパターンを伴う例示的ミューティングパターンテーブルであり、任意の数のミューティングパターンおよび異なるミューティングパターンを含む任意の数のミューティングパターンテーブルが、本開示の範囲内であることに留意されたい。異なるミューティングパターンテーブルは、ミューティング周期内に異なる数のミューティングリソースを含む。いくつかの実施形態において、１つのみのミューティングパターンテーブルが存在する。いくつかの実施形態において、ＩＡＢノードのミューティング周期内のミューティングリソースの数は、隣接するＩＡＢノードによって検出される機会に影響を及ぼし得、隣接するＩＡＢノードの検出に成功する機会にも影響を及ぼし得る。例えば、図１５および１６を参照すると、ＩＡＢノード１０２−１Ａのために、ミューティング周期内に７つのミューティングリソースが存在するとき、このＩＡＢノード１０２−１ＡがＩＡＢノード１０２−１Ｂ／１０２−１Ｃによって検出される機会は、したがって、低い。別の例に関して、ＩＡＢノード１０２−１Ａのために、ミューティング周期内にＳＳＢの実際の伝送のための７つのリソースと１つのみのミューティングリソースが存在するとき、ＩＡＢノード１０２−１Ａは、同じミューティングリソース上でＩＡＢノード１０２−１Ｂ／１０２−１ＣからのＳＳＢを検出し、それは、ミューティングリソース上でのＩＡＢノード１０２−１Ａの測定性能を劣化させる。いくつかの実施形態において、ミューティング周期内のミューティングリソースの数は、無線通信ネットワークの状況に従って、上位レベルのＩＡＢノードによって決定され、ミューティングテーブルは、下位レベルのＩＡＢノードに対して決定および構成されることができる。
【００９１】
いくつかの実施形態において、ミューティングパターンテーブル内のミューティングパターンを示すために、ビットフィールドが、ミューティングパターンインデックス指示のために使用されることができる。各ミューティングパターンテーブルが８つのミューティングパターンを含む図１６を参照すると、３ビットのビットフィールドが、ミューティングパターンインデックスを示すために使用されることができる。いくつかの実施形態において、異なるＩＡＢノードが、異なるミューティングパターンに対応する異なる３ビットのビットフィールドを受信し得る。いくつかの実施形態において、ミューティングパターンテーブル内のミューティングパターンが、システムによって事前に定義され、ミューティングリソース構成情報内で上位レベルのＩＡＢノードから下位レベルのＩＡＢノードに伝送される。
【００９２】
いくつかの実施形態において、ミューティングパターンテーブル内のミューティングパターンインデックスは、下位レベルのＩＡＢノードのセル識別（ＩＤ）に従って、上位レベルのＩＡＢノード、すなわち、親ＩＡＢノードによって決定されることができる。例えば、ミューティングパターンインデックスは、（下位レベルのＩＡＢノードのセルＩＤ）ｍｏｄ（ミューティング周期内のＳＳＢの潜在的伝送のためのリソースの数）を使用して決定されることができる。図１５を参照すると、１６０ｍｓのミューティング周期内にＳＳＢの潜在的伝送のための８つのリソースが存在する。具体的に、下位レベルのＩＡＢノードのセルＩＤが、１０進数における８７に対応する２進数における００１０１０１１１であるとき、下位レベルのＩＡＢノードのミューティングパターンインデックスは、７（すなわち、８７ｍｏｄ８）に等しい。７のミューティングパターンインデックスは、次いで、ミューティングテーブルと一緒に使用され、ミューティングリソースを配置することができる。
【００９３】
別の例に関して、上位レベルのＩＡＢノードは、セルＩＤｍｏｄ４を使用して、全ての下位レベルのＩＡＢノードのための時差リソースを決定することができる。同じグループ内のＩＡＢノードは、２つの最下位ビット（ＬＳＢ）上に値を含む。さらに、ミューティングパターンインデックスは、上で議論される類似方法を使用して決定されることができる。具体的に、下位レベルのＩＡＢノードのためのミューティングパターンインデックスは、対応する下位レベルのＩＡＢノードのセルＩＤの８つの最上位ビット（ＭＳＢ）（例えば、２進数における０１０１０１１１および１０進数における８７）と、ミューティング周期内のＳＳＢの潜在的伝送のためのそのリソースの数とによって決定されることができ、例えば、８７ｍｏｄ８、それは、７に等しい。０１０１０１１１のセルＩＤを伴うＩＡＢノードのミューティングパターンインデックスは、７である。セルＩＤに従うミューティングパターンインデックスの指示のためのオーバーヘッドは、明示的指示を使用したそれ、例えば、ビットフィールドを使用したそれをはるかに下回り得る。
【００９４】
いくつかの実施形態において、上位レベルのＩＡＢノードは、８つの乱数の組を決定することができ、セット内の各乱数は、初期化パラメータとしての下位レベルのＩＡＢノードのセルＩＤに基づいて、０〜７である。例えば、上位レベルのＩＡＢノードは、下位レベルのノードのために８つの乱数（例えば、３７１５３４０６）を生成する。第１のミューティング周期において、ＳＳＢ伝送リソース３が、ミューティングリソースであり、ＳＳＢ伝送リソースの残り（すなわち、０−２、および４−７）は、ＳＳＢの実際の伝送のためのリソースであり、第２のミューティング周期において、ＳＳＢ伝送リソース７が、ミューティングリソースであり、ＳＳＢ伝送リソースの残り（すなわち、０−６）は、ＳＳＢの実際の伝送のためのリソースであり、第３のミューティング周期において、ＳＳＢ伝送リソース１が、ミューティングリソースであり、ＳＳＢ伝送リソースの残り（すなわち、０、および２−７）は、ＳＳＢの実際の伝送のためのリソースであり、第４のミューティング周期において、ＳＳＢ伝送リソース５が、ミューティングリソースであり、ＳＳＢ伝送リソースの残り（すなわち、０−４および６−７）は、ＳＳＢの実際の伝送のためのリソースであり、第５のミューティング周期において、ＳＳＢ伝送リソース３が、ミューティングリソースであり、ＳＳＢ伝送リソースの残り（すなわち、０−２および４−７）は、ＳＳＢの実際の伝送のためのリソースであり、第６のミューティング周期において、ＳＳＢ伝送リソース４が、ミューティングリソースであり、ＳＳＢ伝送リソースの残り（すなわち、０−３、および５−７）は、ＳＳＢの実際の伝送のためのリソースであり、第７のミューティング周期において、ＳＳＢ伝送リソース０が、ミューティングリソースであり、ＳＳＢ伝送リソースの残り（すなわち、１−７）は、ＳＳＢの実際の伝送のためのリソースであり、第８のミューティング周期において、ＳＳＢ伝送リソース６が、ミューティングリソースであり、ＳＳＢ伝送リソースの残り（すなわち、０−５および７）は、ＳＳＢの実際の伝送のためのリソースである。いくつかの実施形態において、乱数の組は、いくつかのミューティング周期後、再使用されることができる。例えば、８つのミューティング周期後、第９のミューティング周期において、ミューティングリソース構成は、第１のミューティング周期内で使用されるものと同じであり、ミューティング周期の残りは、同じ様式で行われることができる。いくつかの他の実施形態において、８つのミューティング周期後、乱数の異なるセットが、下位レベルのＩＡＢノードのために上位レベルのＩＡＢノードによって生成されることができ、それは、続くミューティング周期において使用されることができる。
【００９５】
いくつかの実施形態において、ミューティングリソース構成情報は、ミューティング周期と、ミューティングパターンとを含む。いくつかの実施形態において、ミューティング周期は、システムによって事前に定義される。いくつかの実施形態において、ミューティング周期の値は、ビットフィールドを使用して、上位レベルのＩＡＢノードから下位レベルのＩＡＢノードに示されることができる。例えば、４０、８０、１６０、および３２０ｍｓを含む４つのミューティング周期の値が存在する場合、４つの２ビットインデックスが、これらの値を示すために使用されることができる。具体的に、００が、４０ｍｓのミューティング周期を表し、０１が、８０ｍｓのミューティング周期を表し、１０が、１６０ｍｓのミューティング周期を表し、１１が、３２０ｍｓのミューティング周期を表す。いくつかの実施形態において、ミューティング周期は、固定値であり、全てのＩＡＢノードに対して事前に構成され、この場合、ミューティングリソース構成情報は、ミューティング周期を含まない。
【００９６】
いくつかの実施形態において、上位レベルのＩＡＢノードから下位レベルのＩＡＢノードに伝送されるミューティングリソース構成情報内のミューティングパターンは、ビットマップによって示されることができる。例えば、再び、ミューティング周期がＳＳＢの潜在的伝送のための８つのリソースを含む図１５に戻って参照すると、８ビットのビットマップが、下位レベルのＩＡＢノードに対して少なくとも１つのミューティングリソースの指示のために、上位レベルのＩＡＢノードによって使用されることができる。具体的に、「１１０１１１１１」を含み、ＳＳＢ伝送リソース２を示す８ビットのビットマップが、ミューティングリソースであり、ＳＳＢ伝送リソースの残り（すなわち、０、１、および３−７）は、ＳＳＢの実際の伝送のためのものである。いくつかの実施形態において、ミューティングパターン指示のためのビットマップは、上位レベルのＩＡＢノードから下位レベルのＩＡＢノードへのＲＲＣシグナリング上で伝送されることができる。
【００９７】
いくつかの実施形態において、異なるＳＳＢ伝送周期が、異なるＩＡＢノード上で使用されることができる。例えば、ＩＡＢノード１のＳＳＢ伝送周期は、２０ｍｓであり、ＩＡＢノード２のＳＳＢ伝送周期は、１０ｍｓである。１６０ｍｓの同じミューティング周期下において、ＩＡＢノード１およびＩＡＢノード２のためのＳＳＢの潜在的伝送のために、それぞれ、８つおよび１６のリソースが存在する。したがって、異なるビットマップ（すなわち、８ビットおよび１６ビットのビットマップ）が、それぞれ、ＩＡＢノード１およびＩＡＢノード２のために使用されることができる。
【００９８】
いくつかの実施形態において、異なるＳＳＢ伝送周期を伴う複数のＩＡＢノードが、同じミューティングパターンテーブルを共有することができ、それは、上位レベルのＩＡＢノードによって事前に定義されることができる。上位レベルのＩＡＢノードは、複数のＩＡＢノードと異なるＳＳＢ伝送周期における最大ＳＳＢ伝送周期に従って、ミューティングパターンテーブルを決定する。例えば、ＩＡＢノード１のＳＳＢ伝送周期は、２０ｍｓであり、ＩＡＢノード２のＳＳＢ伝送周期は、１０ｍｓである。上位レベルのＩＡＢノードは、ＩＡＢノード１およびＩＡＢノード２の両方のためにＳＳＢの潜在的伝送のための８つのリソースを伴う１つのミューティングパターンテーブル（例えば、図１６Ａのテーブル１６００）を選択する。ＳＳＢの潜在的伝送のための８つのリソースを伴うＩＡＢノード１は、本開示の種々の実施形態に議論されるように、テーブルに従って、そのミューティングリソースを取得することができる。
【００９９】
他方において、ＳＳＢの潜在的伝送のための１６のリソースを伴うＩＡＢノード２は、同じテーブルを使用して、そのミューティングリソースを取得することができる。例えば、テーブル１６００のミューティングパターンインデックス０において、ＩＡＢノード２のＳＳＢ伝送リソース０および１が、ミューティングリソースであり、ＳＳＢ伝送リソースの残り（すなわち、２−１５）は、ＳＳＢの実際の伝送のためのリソースであり、テーブル１６００のミューティングパターンインデックス１において、ＩＡＢノード２のＳＳＢ伝送リソース２および３が、ミューティングリソースであり、ＳＳＢ伝送リソースの残り（すなわち、０−１、および４−１５）は、ＳＳＢの実際の伝送のためのリソースあって、テーブル１６００のミューティングパターンインデックス０において、ＩＡＢノード２のＳＳＢ伝送リソース４および５が、ミューティングリソースであり、ＳＳＢ伝送リソースの残り（すなわち、０−３、および６−１５）は、ＳＳＢの実際の伝送のためのリソースであり、テーブル１６００のミューティングパターンインデックス３において、ＩＡＢノード２のＳＳＢ伝送リソース６および７が、ミューティングリソースであり、ＳＳＢ伝送リソースの残り（すなわち、０−５および８−１５）は、ＳＳＢの実際の伝送のためのリソースであり、テーブル１６００のミューティングパターンインデックス４において、ＩＡＢノード２のＳＳＢ伝送リソース８および９が、ミューティングリソースであり、ＳＳＢ伝送リソースの残り（すなわち、０−７および１０−１５）は、ＳＳＢの実際の伝送のためのリソースであり、テーブル１６００のミューティングパターンインデックス５において、ＩＡＢノード２のＳＳＢ伝送リソース１０および１１が、ミューティングリソースであり、ＳＳＢ伝送リソースの残り（すなわち、０−９および１２−１５）は、ＳＳＢの実際の伝送のためのリソースであり、テーブル１６００のミューティングパターンインデックス６において、ＩＡＢノード２のＳＳＢ伝送リソース１２および１３が、ミューティングリソースであり、ＳＳＢ伝送リソースの残り（すなわち、０−１１、および１４−１５）は、ＳＳＢの実際の伝送のためのリソースであり、テーブル１６００のミューティングパターンインデックス７において、ＩＡＢノード２のＳＳＢ伝送リソース１４および１５が、ミューティングリソースであり、ＳＳＢ伝送リソースの残り（すなわち、０−１３）は、ＳＳＢの実際の伝送のためのリソースである。
【０１００】
別の例に関して、ミューティングパターンテーブル（例えば、図１６Ａのテーブル１６００）におけるＳＳＢ伝送リソースは、偶数または奇数のＳＳＢ伝送リソースにおけるミューティングリソースの指示のためのものであり、ＳＳＢ伝送リソースの残りは全て、ＳＳＢの実際の伝送のためのリソースとして使用される。具体的に、ミューティングパターンインデックス０において、ＩＡＢノード２のＳＳＢ伝送リソース０が、ミューティングリソースであり、ＩＡＢノード２のＳＳＢ伝送リソースの残り（すなわち、１−１５）は、ＳＳＢの実際の伝送のためのリソースであり、ミューティングパターンインデックス１において、ＩＡＢノード２のＳＳＢ伝送リソース３が、ミューティングリソースであり、ＩＡＢノード２のＳＳＢ伝送リソースの残り（すなわち、１−２および４−１５）は、ＳＳＢの実際の伝送のためのリソースであり、ミューティングパターンインデックス２において、ＩＡＢノード２のＳＳＢ伝送リソース５が、ミューティングリソースであり、ＩＡＢノード２のＳＳＢ伝送リソースの残り（すなわち、１−４および６−１５）は、ＳＳＢの実際の伝送のためのリソースであり、ミューティングパターンインデックス３において、ＩＡＢノード２のＳＳＢ伝送リソース７が、ミューティングリソースであり、ＩＡＢノード２のＳＳＢ伝送リソースの残り（すなわち、１−６および８−１５）は、ＳＳＢの実際の伝送のためのリソースであり、ミューティングパターンインデックス４において、ＩＡＢノード２のＳＳＢ伝送リソース９が、ミューティングリソースであり、ＩＡＢノード２のＳＳＢ伝送リソースの残り（すなわち、１−８および１０−１５）は、ＳＳＢの実際の伝送のためのリソースであり、ミューティングパターンインデックス５において、ＩＡＢノード２のＳＳＢ伝送リソース１１が、ミューティングリソースであり、ＩＡＢノード２のＳＳＢ伝送リソースの残り（すなわち、１−１０、および１２−１５）は、ＳＳＢの実際の伝送のためのリソースであり、ミューティングパターンインデックス６において、ＩＡＢノード２のＳＳＢ伝送リソース１３が、ミューティングリソースであり、ＩＡＢノード２のＳＳＢ伝送リソースの残り（すなわち、１−１２および１４−１５）は、ＳＳＢの実際の伝送のためのリソースであり、ミューティングパターンインデックス７において、ＩＡＢノード２のＳＳＢ伝送リソース１５が、ミューティングリソースであり、ＩＡＢノード２のＳＳＢ伝送リソースの残り（すなわち、１−１４）は、ＳＳＢの実際の伝送のためのリソースである。
【０１０１】
いくつかの実施形態において、ミューティングリソース構成情報は、ミューティング周期と、ミューティングパターンインデックスとを含む。いくつかの実施形態において、ミューティング周期は、システムによって事前に定義される。いくつかの実施形態において、ミューティング周期の値は、ビットフィールドを使用して、上位レベルのＩＡＢノードから下位レベルのＩＡＢノードに示されることができる。例えば、４０、８０、１６０、および３２０ｍｓを含む４つのミューティング周期の値が存在する場合、４つの２ビットインデックスが、これらの値を示すために使用されることができる。具体的に、００が、４０ｍｓのミューティング周期を表し、０１が、８０ｍｓのミューティング周期を表し、１０が、１６０ｍｓのミューティング周期を表し、１１が、３２０ｍｓのミューティング周期を表す。いくつかの実施形態において、ミューティング周期は、固定値であり、全てのＩＡＢノードに対して事前に構成され、この場合、ミューティングリソース構成情報は、ミューティング周期を含まない。
【０１０２】
いくつかの実施形態において、下位レベルのＩＡＢノードのための少なくとも１つのミューティングリソースが、その対応するセルＩＤに従って、直接、取得されることができる。図１５を参照すると、１６０ｍｓのミューティング周期におけるＳＳＢの潜在的伝送のための８つのリソースが存在する。例えば、下位レベルのＩＡＢノードのセルＩＤが、１０進数における８７に対応する２進数における００１０１０１１１であるとき、下位レベルのＩＡＢノードのミューティングパターンインデックスは、７に等しく、すなわち、（８７ｍｏｄ８）＋１である。０１０１０１１１のセルＩＤを伴う下位レベルのＩＡＢノードのためのミューティングリソースは、８である。別の例に関して、上位レベルのＩＡＢノードは、セルＩＤｍｏｄ４を使用して、全ての下位レベルのＩＡＢノードのための時差リソースを決定することができる。同じグループ内のＩＡＢノードは、２つの最下位ビット（ＬＳＢ）上に値を含む。さらに、ミューティングリソースは、上で議論される類似方法を使用して決定されることができる。具体的に、下位レベルのＩＡＢノードのためのミューティングリソースは、対応する下位レベルのＩＡＢノードのセルＩＤの８つの最上位ビット（ＭＳＢ）（例えば、２進数における０１０１０１１１および１０進数における８７）と、ミューティング周期内のＳＳＢの潜在的伝送のためのそのリソースの数とによって決定されることができ、例えば、（８７ｍｏｄ８）＋１、それは、８に等しい。０１０１０１１１のセルＩＤを伴う下位レベルのＩＡＢノードのためのミューティングリソースは、８である。セルＩＤに従ったミューティングパターンインデックスの指示のためのオーバーヘッドは、明示的指示を使用したそれ、例えば、ビットフィールドを使用したそれを比較的に下回り得る。
【０１０３】
いくつかの実施形態において、上位レベルのＩＡＢノードによって生成された乱数は、下位レベルのＩＡＢノードのためのミューティングリソースを示すために直接使用されることができる。例えば、再び図１５を参照すると、１６０ｍｓのミューティング周期におけるＳＳＢの潜在的伝送のための８つのリソースが存在する。具体的に、乱数（すなわち、０−７）が、下位レベルのＩＡＢノードに対して少なくとも１つのミューティングリソースを直接示すように構成されることができる。例えば、上位レベルのＩＡＢノードは、下位レベルのＩＡＢノードのための乱数４を伝送し、ＳＳＢ伝送ソース４が、ミューティングリソースであり、ＳＳＢ伝送ソース（すなわち、０−３、および５−７）の残りは、ＳＳＢの実際の伝送のためのリソースである。いくつかの実施形態において、乱数、したがって、ミューティングリソースは、少なくとも１つのミューティング周期において一定のままである。いくつかの実施形態において、異なる乱数が、上位レベルのＩＡＢノードによって生成されることができ、したがって、異なるミューティングリソースが、異なるミューティング周期において下位レベルのＩＡＢノードに示されることができる。したがって、隣接するＩＡＢノードの測定のための可能性が、複数のミューティング周期を通して上位レベルのＩＡＢノードによって生成された乱数に従うミューティングリソース指示のためのこの方法に従って、改良されることができる。
【０１０４】
いくつかの実施形態において、少なくとも１つのミューティングリソースは、ＳＳＢ伝送リソースを上位レベルのＩＡＢノードによって下位レベルのＩＡＢノードに対して構成される測定リソースと比較することによって、決定されることもできる。いくつかの実施形態において、測定リソースは、以下のうちの少なくとも１つによって、上位レベルのＩＡＢノードから下位レベルのＩＡＢノードに対して構成されることができる：測定周期、測定オフセット、測定持続時間、および測定周波数。例えば、測定周期は、１０の無線フレームであり、測定オフセットは、５つの無線フレームであり、測定持続時間は、５つの無線フレームである。いくつかの実施形態において、無線フレーム５のエッジは、測定期間の開始点として使用され、測定は、時間ドメインにおける５つの無線フレームにわたって実施され；周波数ドメインにおいて、測定は、測定周波数における中心とＳＳＢの帯域幅と同じである帯域幅とを有する周波数範囲内でさらに実施される。
【０１０５】
いくつかの実施形態において、基準信号（例えば、ＳＳおよびＰＢＣＨブロックおよびＣＳＩ−ＲＳ）伝送リソースのリソースが、時間−周波数ドメインにおける測定リソースと完全または部分的に重複するとき、リソースは、ミューティングリソースである。本明細書で使用されるように、「測定リソース」は、ＩＡＢノードが隣接するＩＡＢノードから伝送される基準信号（例えば、ＳＳおよびＰＢＣＨブロックおよびＣＳＩ−ＲＳ）を受信する時間および周波数ドメインにおけるリソースを指す。以下の説明において、ＳＳＢを基準信号の例として取り上げる。
【０１０６】
ＳＳＢ伝送リソースと測定リソースとは、以下のうちの少なくとも１つが該当する場合、重複と見なされる：ＳＳＢ伝送リソースによって占有されるＯＦＤＭシンボルと、測定リソースによって占有されるＯＦＤＭシンボルとが重複していること；時間および周波数ドメインの両方において、ＳＳＢ伝送リソースが測定リソースと重複していること；ＳＳＢ伝送リソースと測定リソースとの間の時間オフセットが所定の閾値（例えば、Ｘ個のＯＦＤＭシンボルまたは時間Ｔ）以下であること；および、ＳＳＢ伝送リソースと測定リソースとの間の周波数オフセットが所定の閾値（例えば、Ｙ個のＲＥ、Ｚ個のＲＢ、または周波数ＭｋＨｚ）以下であること。いくつかの実施形態において、ＳＳＢ伝送リソースが、高レベルのＩＡＢノードによって構成される測定リソースと重複するとき、ミューティング期間におけるＳＳＢ伝送リソースは、上で詳細に議論されるミューティングリソース構成に従って、隣接するＩＡＢノードの測定のためにミューティングされることができる。いくつかの実施形態において、複数の測定リソースが、複数のＳＳＢ伝送リソースと重複し、ミューティング周期において複数のミューティングリソースをもたらす。
【０１０７】
図１４に戻って参照すると、方法１４００は、動作１４０４に継続し、半無線フレーム内の少なくとも１つのミューティングリソースを含む少なくとも１つのミューティングリソースセットが、いくつかの実施形態に従って決定される。少なくとも１つのミューティングリソースセットは、上で議論されるように、ミューティングリソース構成情報および／または測定リソース構成情報に従って決定されることができる。少なくとも１つのミューティングリソースを決定すると、ミューティングリソース構成（すなわち、ＳＳＢの最大数、タイムスロット内の各ＳＳＢによって占有されるＯＦＤＭシンボル）が、図３−１３における種々の実施形態に従って、下位レベルのＩＡＢノードによってさらに実施されることができる。
【０１０８】
方法１４００は、動作１４０６に継続し、ＩＡＢノード１０２−１Ａ、１０２−１Ｂ、および１０２−２Ａが、いくつかの実施形態に従って、ＳＳＢの実際の伝送のための少なくとも１つのリソース上でそのＳＳ／ＰＢＣＨを隣接するＩＡＢノードに伝送し、少なくとも１つのミューティングリソース上のその隣接するＩＡＢノードを検出する。ＳＳＢの実際の伝送および隣接するＩＡＢノードの測定は、少なくとも１つのミューティングリソースに従って実施される。
【０１０９】
本発明の種々の実施形態が、上で説明されたが、それらは、限定としてではなく、例としてのみ提示されたことを理解されたい。同様に、種々の略図は、例示的アーキテクチャまたは構成を描写し得、それは、当業者が、本発明の例示的特徴および機能を理解することを可能にするために提供される。しかしながら、そのような当業者は、本発明が、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上で説明される例示的実施形態のいずれかによって限定されるべきではない。
【０１１０】
また、「第１」、「第２」等の指定を使用した本明細書における要素の任意の参照は、概して、それらの要素の数量または順序を限定するものではないことを理解されたい。むしろ、これらの指定は、本明細書において、２つ以上の要素または要素のインスタンス間で区別する便宜的手段として使用されることができる。したがって、第１および第２の要素の参照は、２つのみの要素が採用され得るか、または、第１の要素がある様式において第２の要素に先行しなければならないことを意味するものではない。
【０１１１】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、明視野または粒子、またはそれらの任意の組み合わせによって表されることができる。
【０１１２】
当業者はさらに、本明細書に開示される側面に関連して説明される、いくつかの例証的論理ブロック、モジュール、プロセッサ、手段、回路、方法、および機能のいずれかが、電子ハードウェア（例えば、ソースコーディングまたはある他の技法を使用して設計される、デジタル実装、アナログ実装、またはその２つの組み合わせ）、命令を組み込む種々の形態のプログラムまたは設計コード（本明細書において、便宜上、「ソフトウェア」または「ソフトウェアモジュールと称され得る）、または両方の組み合わせによって実装されることができることを理解するであろう。ハードウェアおよびソフトウェアのこの可換性を明確に例証するために、種々の例証的コンポーネント、ブロック、モジュール、回路、およびステップは、概して、その機能性の観点から上で説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。
【０１１３】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、またはそれらの任意の組み合わせを含み得る集積回路（ＩＣ）内に実装されること、またはそれによって実施されることができることを理解するであろう。論理ブロック、モジュール、および回路は、アンテナおよび／または送受信機をさらに含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサは、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることもできる。
【０１１４】
ソフトウェア内に実装される場合、機能は、１つ以上の命令またはコードとして、コンピュータ読み取り可能な媒体上に記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータ記憶媒体および通信媒体の両方を含み、コンピュータプログラムまたはコードを１つの場所から別の場所に転送するように可能にされ得る任意の媒体を含む。記憶媒体は、コンピュータによってアクセスされ得る任意の利用可能な媒体であることができる。限定ではなく、一例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る任意の他の媒体を含むことができる。
【０１１５】
本書において、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、別々のモジュールとして説明される。しかしながら、当業者に明白となるであろうように、２つ以上のモジュールが、組み合わせられ、本発明の実施形態に従って関連付けられた機能を実施する、単一モジュールを形成し得る。
【０１１６】
加えて、メモリまたは他の記憶装置および通信コンポーネントが、本発明の実施形態において採用され得る。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用され得ることが明白であろう。例えば、別個の処理論理要素またはコントローラによって実施されるように例証される機能性は、同じ処理論理要素またはコントローラによって実施され得る。故に、具体的機能ユニットの参照は、厳密な論理または物理構造または編成を示すのではなく、説明される機能性を提供するための好適な手段の参照にすぎない。
【０１１７】
本開示に説明される実装の種々の修正が、当業者に容易に明白であり、本明細書に定義された一般的原理は、本開示の範囲から逸脱することなく、他の実装に適用されることができる。したがって、本開示は、本明細書に示される実装に限定されることを意図するものではなく、下記の請求項において列挙されるように、本明細書に開示される新規特徴および原理と一致する最広範囲と見なされるべきである。
【図１Ａ】
2022501843.tif 000003
【図１Ｂ】
2022501843.tif 000004
【図２】
2022501843.tif 000005
【図３】
2022501843.tif 000006
【図４】
2022501843.tif 000007
【図５】
2022501843.tif 000008
【図６】
2022501843.tif 000009
【図７】
2022501843.tif 000010
【図８】
2022501843.tif 000011
【図９】
2022501843.tif 000012
【図１０Ａ】
2022501843.tif 000013
【図１０Ｂ】
2022501843.tif 000014
【図１０Ｃ】
2022501843.tif 000015
【図１０Ｄ】
2022501843.tif 000016
【図１０Ｅ】
2022501843.tif 000017
【図１０Ｆ】
2022501843.tif 000018
【図１１】
2022501843.tif 000019
【図１２】
2022501843.tif 000020
【図１３】
2022501843.tif 000021
【図１４】
2022501843.tif 000022
【図１５】
2022501843.tif 000023
【図１６−１】
2022501843.tif 000024
【図１６−２】
2022501843.tif 000025
【国際調査報告】
2022501843.tif 000026
2022501843.tif 000027